(57)【要約】【課題】ＬＥＤディスプレイ及びＬＥＤ制御システムを提供する。【解決手段】当該ディスプレイは、ＬＥＤ表示パネル（１０）と、スイッチ回路（３１）、駆動回路（３３）と制御回路（３５）を含む表示駆動回路（３０）と、を含み、スイッチ回路（３１）と駆動回路（３３）の中の一つの第１端子は給電機器の電源端子に接続され、他の第１端子は給電機器のアース端子に接続され、スイッチ回路（３１）と駆動回路（３３）の中の一つの第２端子はＬＥＤ表示パネル（１０）の陽極に接続され、他の第２端子はＬＥＤ表示パネル（１０）の陰極に接続され、制御回路（３５）は給電制御回路（３５１）と駆動制御回路（３５３）とを含み、給電制御回路（３５１）は給電制御ポートを介してスイッチ回路（３１）の第３端子に接続され、駆動制御回路（３５３）は駆動回路（３３）のオン又はオフを制御する。該ディスプレイは、スイッチ回路（３１）と、駆動回路（３３）と、制御回路（３５）とを表示駆動回路（３３）に集積する。【選択図】図４
2016504619.tif 000002
【特許請求の範囲】
【請求項１】
ＬＥＤ表示パネルと、
スイッチ回路と駆動回路と制御回路を含む表示駆動回路とを含み、
前記スイッチ回路と前記駆動回路の中の一つの第１端子が給電機器の電源端子に接続され、他の第１端子が前記給電機器のアース端子に接続され、
前記スイッチ回路と前記駆動回路の中の一つの第２端子が前記ＬＥＤ表示パネルの陽極に接続され、他の第２端子が前記ＬＥＤ表示パネルの陰極に接続され、
前記制御回路が、給電制御回路と駆動制御回路とを含み、
前記給電制御回路は給電制御ポートを介して前記スイッチ回路の第３端子に接続されて、前記スイッチ回路のオン又はオフを制御し、
前記駆動制御回路は駆動制御ポートを介して前記駆動回路の第３端子に接続されて、前記駆動回路のオン又はオフを制御し、
前記スイッチ回路は前記ＬＥＤ表示パネルへの給電を制御し、前記駆動回路は前記ＬＥＤ表示パネルの順序表示を制御することを特徴とするＬＥＤディスプレイ。
【請求項２】
前記スイッチ回路は、一つ又は複数の電界効果トランジスタを含む一つのサブスイッチ回路を含み、
各前記電界効果トランジスタのソースはそれぞれ前記給電機器の電源端子又はアース端子に接続され、
各前記電界効果トランジスタのドレインはそれぞれ、前記ＬＥＤ表示パネルにおける対応する行の各ＬＥＤ粒子の陽極又は陰極に接続され、
各前記電界効果トランジスタのゲートはそれぞれ、前記給電制御ポート中の対応する接続端子に接続されることを特徴とする請求項１に記載のディスプレイ。
【請求項３】
前記駆動回路は、一つ又は複数の定電流ロジック部品を含む定電流通路セットを含み、
各前記定電流ロジック部品の第１端子はそれぞれ、前記給電機器の電源端子又はアース端子に接続され、
各前記定電流ロジック部品の第２端子はそれぞれ、前記ＬＥＤ表示パネルにおける対応する列の前記ＬＥＤ粒子の陽極又は陰極に接続され、
各前記定電流ロジック部品の第３端子はそれぞれ、前記駆動制御ポート中の対応する接続端子に接続されることを特徴とする請求項２に記載のディスプレイ。
【請求項４】
前記給電制御回路は、各前記電界効果トランジスタのオンを制御することで、前記電界効果トランジスタに対応する前記ＬＥＤ表示パネルの行中のＬＥＤ粒子に給電し、
前記駆動制御回路は前記定電流通路セット中の各前記定電流ロジック部品のオンを制御し、各前記定電流ロジック部品がオンされた後、それぞれ、前記定電流ロジック部品に対応する前記ＬＥＤ表示パネルの列のＬＥＤ粒子に電流通路を提供して前記ＬＥＤ粒子の順序表示を制御することを特徴とする請求項３に記載のディスプレイ。
【請求項５】
前記電界効果トランジスタがＰ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の第ｉ個のＬＥＤ粒子中の前記赤色ランプの陽極、前記緑色ランプの陽極および前記青色ランプの陽極は第ｉノードに並列接続され、各行の各ノードは並列接続され、且つそれぞれ前記スイッチ回路中の対応する一つの前記Ｐ−ＭＯＳトランジスタのドレインに接続され、
各列の各前記ＬＥＤ粒子の前記赤色ランプの陰極はそれぞれ並列接続され、また、それぞれ前記定電流通路セット中の対応する一つの前記定電流ロジック部品の第２端子に接続され、
各列の各前記ＬＥＤ粒子の前記緑色ランプの陰極はそれぞれ並列接続され、また、それぞれ前記定電流通路セット中の対応する一つの前記定電流ロジック部品の第２端子に接続され、
各列の各前記ＬＥＤ粒子の前記青色ランプの陰極はそれぞれ並列接続され、また、それぞれ前記定電流通路セット中の対応する一つの前記定電流ロジック部品の第２端子に接続されることを特徴とする請求項２乃至４の中のいずれかに記載のディスプレイ。
【請求項６】
前記電界効果トランジスタがＰ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の各前記ＬＥＤ粒子中の前記赤色ランプの陽極、前記緑色ランプの陽極および前記青色ランプの陽極は並列接続され、前記スイッチ回路中の対応する一つの前記Ｐ−ＭＯＳトランジスタのドレインに接続され、
各列の各前記ＬＥＤ粒子の前記赤色ランプの陰極はそれぞれ並列接続され、また、それぞれ前記定電流通路セット中の対応する一つの前記定電流ロジック部品の第２端子に接続され、
各列の各前記ＬＥＤ粒子の前記緑色ランプの陰極はそれぞれ並列接続され、また、それぞれ前記定電流通路セット中の対応する一つの前記定電流ロジック部品の第２端子に接続され、
各列の各前記ＬＥＤ粒子の前記青色ランプの陰極はそれぞれ並列接続され、また、それぞれ前記定電流通路セット中の対応する一つの前記定電流ロジック部品の第２端子に接続されることを特徴とする請求項２乃至４の中のいずれかに記載のディスプレイ。
【請求項７】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ赤色ランプと緑色ランプと青色ランプとを含み、
各行の第ｉ個のＬＥＤ粒子中の前記赤色ランプの陰極、前記緑色ランプの陰極および前記青色ランプの陰極は第ｉノードに並列接続され、且つ各行の各ノードは並列接続され、前記スイッチ回路中の対応する一つの前記Ｎ−ＭＯＳトランジスタのドレインに接続され、
各列の各前記ＬＥＤ粒子の前記赤色ランプの陽極はそれぞれ並列接続され、また、それぞれ前記定電流通路セット中の対応する一つの前記定電流ロジック部品の第２端子に接続され、
各列の各前記ＬＥＤ粒子の前記緑色ランプの陽極はそれぞれ並列接続され、また、それぞれ前記定電流通路セット中の対応する一つの前記定電流ロジック部品の第２端子に接続され、
各列の各前記ＬＥＤ粒子の前記青色ランプの陽極はそれぞれ並列接続され、また、それぞれ前記定電流通路セット中の対応する一つの前記定電流ロジック部品の第２端子に接続されることを特徴とする請求項２乃至４の中のいずれかに記載のディスプレイ。
【請求項８】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ赤色ランプと緑色ランプと青色ランプを含み、
各行の各前記ＬＥＤ粒子中の前記赤色ランプの陰極、前記緑色ランプの陰極および前記青色ランプの陰極は並列接続され、前記スイッチ回路中の対応する一つの前記Ｎ−ＭＯＳトランジスタのドレインに接続され、
各列の各前記ＬＥＤ粒子の前記赤色ランプの陽極はそれぞれ並列接続され、また、それぞれ前記定電流通路セット中の対応する一つの前記定電流ロジック部品の第２端子に接続され、
各列の各前記ＬＥＤ粒子の前記緑色ランプの陽極はそれぞれ並列接続され、また、それぞれ前記定電流通路セット中の対応する一つの前記定電流ロジック部品の第２端子に接続され、
各列の各前記ＬＥＤ粒子の前記青色ランプの陽極はそれぞれ並列接続され、また、それぞれ前記定電流通路セット中の対応する一つの前記定電流ロジック部品の第２端子に接続されることを特徴とする請求項２乃至４の中のいずれかに記載のディスプレイ。
【請求項９】
前記駆動回路は、第１の定電流通路セットと、第２の定電流通路セットと、第３の定電流通路セットと、を含み、
前記第１の定電流通路セットは一つ又は複数の定電流ロジック部品を含み、各前記定電流ロジック部品の第１端子はそれぞれ、前記給電機器の電源端子又はアース端子に接続され、各前記定電流ロジック部品の第３端子はそれぞれ、前記駆動制御ポートの第１のＲ表示制御サブポートに接続され、各前記定電流ロジック部品の第２端子はそれぞれ、前記ＬＥＤ表示パネルにおける対応する列の各前記ＬＥＤ粒子中の赤色ランプの陽極又は陰極に接続されて前記ＬＥＤ表示パネルの赤色ランプの表示を制御し、
前記第２の定電流通路セットは一つ又は複数の前記定電流ロジック部品を含み、各前記定電流ロジック部品の第１端子はそれぞれ、前記給電機器の電源端子又はアース端子に接続され、各前記定電流ロジック部品の第３端子はそれぞれ、前記駆動制御ポートの第１のＧ表示制御サブポートに接続され、各前記定電流ロジック部品の第２端子はそれぞれ、前記ＬＥＤ表示パネルにおける対応する列の各前記ＬＥＤ粒子中の緑色ランプの陽極又は陰極に接続されて前記ＬＥＤ表示パネルの緑色ランプの表示を制御し、
前記第３の定電流通路セットは一つ又は複数の前記定電流ロジック部品を含み、各前記定電流ロジック部品の第１端子はそれぞれ、前記給電機器の電源端子又はアース端子に接続され、各前記定電流ロジック部品の第３端子はそれぞれ、前記駆動制御ポートの第１のＢ表示制御サブポートに接続され、各前記定電流ロジック部品の第２端子はそれぞれ、前記ＬＥＤ表示パネルにおける対応する列の各前記ＬＥＤ粒子中の青色ランプの陽極又は陰極に接続されて前記ＬＥＤ表示パネルの青色ランプの表示を制御することを特徴とする請求項２に記載のディスプレイ。
【請求項１０】
前記給電制御回路は、各前記電界効果トランジスタのオンを制御することで、前記電界効果トランジスタに対応する前記ＬＥＤ表示パネルにおける行中のＬＥＤ粒子に給電し、
前記駆動制御回路は、前記第１のＲ表示制御サブポートを介して前記第１の定電流通路セット中の各前記定電流ロジック部品のオンを制御し、各前記定電流ロジック部品がオンされて、それぞれ、前記定電流ロジック部品に対応する前記ＬＥＤ表示パネルにおける列のＬＥＤ粒子中の赤色ランプに電流通路を提供して前記電界効果トランジスタに対応する前記ＬＥＤ表示パネルにおける行中の前記ＬＥＤ粒子の赤色ランプの表示を制御し、
前記駆動制御回路はさらに、前記第１のＧ表示制御サブポートを介して前記第２の定電流通路セット中の各前記定電流ロジック部品のオンを制御し、各前記定電流ロジック部品がオンされて、それぞれ、前記定電流ロジック部品に対応する前記ＬＥＤ表示パネルにおける列のＬＥＤ粒子中の緑色ランプに電流通路を提供して前記電界効果トランジスタに対応する前記ＬＥＤ表示パネルにおける行中の前記ＬＥＤ粒子の緑色ランプの表示を制御し、
前記駆動制御回路はさらに、前記第１のＢ表示制御サブポートを介して前記第３の定電流通路セット中の各定電流ロジック部品のオンを制御し、各前記定電流ロジック部品がオンされて、それぞれ、前記定電流ロジック部品に対応する前記ＬＥＤ表示パネルにおける列のＬＥＤ粒子中の青色ランプに電流通路を提供して前記電界効果トランジスタに対応する前記ＬＥＤ表示パネルにおける行中のＬＥＤ粒子の青色ランプの表示を制御することを特徴とする請求項９に記載のディスプレイ。
【請求項１１】
前記電界効果トランジスタがＰ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の第ｉ個のＬＥＤ粒子中の前記赤色ランプの陽極、前記緑色ランプの陽極、前記青色ランプの陽極は第ｉノードに並列接続され、各行の各ノードは並列接続され、且つそれぞれ前記スイッチ回路中の対応する一つの前記Ｐ−ＭＯＳトランジスタのドレインに接続され、
各列の各前記ＬＥＤ粒子の前記赤色ランプの陰極はそれぞれ並列接続され、また、それぞれ、前記第１の定電流通路セット中の対応する一つの前記定電流ロジック部品の第２端子に接続され、
各列の各前記ＬＥＤ粒子の前記緑色ランプの陰極はそれぞれ並列接続され、また、それぞれ、前記第２の定電流通路セット中の対応する一つの前記定電流ロジック部品の第２端子に接続され、
各列の各前記ＬＥＤ粒子の前記青色ランプの陰極はそれぞれ並列接続され、また、それぞれ、前記第３の定電流通路セット中の対応する一つの前記定電流ロジック部品の第２端子に接続されることを特徴とする請求項９又は１０に記載のディスプレイ。
【請求項１２】
前記電界効果トランジスタがＰ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプを含み、
各行の各前記ＬＥＤ粒子中の前記赤色ランプの陽極、前記緑色ランプの陽極、前記青色ランプの陽極は並列接続され、それぞれ、前記スイッチ回路中の対応する一つの前記Ｐ−ＭＯＳトランジスタのドレインに接続され、
各列の各前記ＬＥＤ粒子の前記赤色ランプの陰極はそれぞれ並列接続され、また、それぞれ、前記第１の定電流通路セット中の対応する一つの前記定電流ロジック部品の第２端子に接続され、
各列の各前記ＬＥＤ粒子の前記緑色ランプの陰極はそれぞれ並列接続され、また、それぞれ、前記第２の定電流通路セット中の対応する一つの前記定電流ロジック部品の第２端子に接続され、
各列の各前記ＬＥＤ粒子の前記青色ランプの陰極はそれぞれ並列接続され、また、それぞれ、前記第３の定電流通路セット中の対応する一つの前記定電流ロジック部品の第２端子に接続されることを特徴とする請求項９又は１０に記載のディスプレイ。
【請求項１３】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の第ｉ個のＬＥＤ粒子中の前記赤色ランプの陰極、前記緑色ランプの陰極、前記青色ランプの陰極は第ｉノードに並列接続され、それぞれ、前記スイッチ回路中の対応する一つの前記Ｎ−ＭＯＳトランジスタのドレインに接続され、各行の各ノードは並列接続され、
各列の各前記ＬＥＤ粒子の前記赤色ランプの陽極はそれぞれ並列接続されて前記ＬＥＤ表示パネルの陽極の一つの接続端子として用いられ、また、それぞれ、前記第１の定電流通路セット中の対応する一つの前記定電流ロジック部品の第２端子に接続され、
各列の各前記ＬＥＤ粒子の前記緑色ランプの陽極はそれぞれ並列接続されて前記ＬＥＤ表示パネルの陽極の一つの接続端子として用いられ、また、それぞれ、前記第２の定電流通路セット中の対応する一つの前記定電流ロジック部品の第２端子に接続され、
各列の各前記ＬＥＤ粒子の前記青色ランプの陽極はそれぞれ並列接続されて前記ＬＥＤ表示パネルの陽極の一つの接続端子として用いられ、また、それぞれ、前記第３の定電流通路セット中の対応する一つの前記定電流ロジック部品の第２端子に接続されることを特徴とする請求項９又は１０に記載のディスプレイ。
【請求項１４】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の各前記ＬＥＤ粒子中の前記赤色ランプの陰極、前記緑色ランプの陰極、前記青色ランプの陰極は並列接続され、それぞれ、前記スイッチ回路中の対応する一つの前記Ｎ−ＭＯＳトランジスタのドレインに接続され、
各列の各前記ＬＥＤ粒子の前記赤色ランプの陽極はそれぞれ並列接続され、また、それぞれ、前記第１の定電流通路セット中の対応する一つの前記定電流ロジック部品の第２端子に接続され、
各列の各前記ＬＥＤ粒子の前記緑色ランプの陽極はそれぞれ並列接続され、また、それぞれ、前記第２の定電流通路セット中の対応する一つの前記定電流ロジック部品の第２端子に接続され、
各列の各前記ＬＥＤ粒子の前記青色ランプの陽極はそれぞれ並列接続され、また、それぞれ、前記第３の定電流通路セット中の対応する一つの前記定電流ロジック部品の第２端子に接続されることを特徴とする請求項９又は１０に記載のディスプレイ。
【請求項１５】
前記スイッチ回路は第１のサブスイッチ回路と、第２のサブスイッチ回路とを含み、
前記第１のサブスイッチ回路と前記第２のサブスイッチ回路は、それぞれ一つ又は複数の電界効果トランジスタを含み、且つ、前記第１のサブスイッチ回路と前記第２のサブスイッチ回路の中の各前記電界効果トランジスタのソースはそれぞれ、前記給電機器の電源端子又はアース端子に接続され、
前記第１のサブスイッチ回路中の各前記電界効果トランジスタのドレインはそれぞれ、前記ＬＥＤ表示パネルにおける対応する行中の各ＬＥＤ粒子中の赤色ランプの陽極又は陰極に接続され、各前記電界効果トランジスタのゲートはそれぞれ、前記給電制御ポート中の対応する接続端子に接続されて前記ＬＥＤ表示パネルの赤色ランプへの給電を制御し、
前記第２のサブスイッチ回路中の各前記電界効果トランジスタのドレインはそれぞれ、前記ＬＥＤ表示パネルにおける対応する行中の各前記ＬＥＤ粒子中の緑色ランプと青色ランプの陽極又は陰極に接続され、各前記電界効果トランジスタのゲートはそれぞれ、前記給電制御ポート中の対応する接続端子に接続されて前記ＬＥＤ表示パネルの前記緑色ランプと前記青色ランプへの給電を制御することを特徴とする請求項１に記載のディスプレイ。
【請求項１６】
前記駆動回路は、一つ又は複数の定電流ロジック部品を含む一つの定電流通路セットを含み、
各前記定電流ロジック部品の第１端子はそれぞれ、前記給電機器の電源端子又はアース端子に接続され、
各前記定電流ロジック部品の第２端子はそれぞれ、前記ＬＥＤ表示パネルにおける対応する列の前記ＬＥＤ粒子の陽極又は陰極に接続され、
各前記定電流ロジック部品の第３端子はそれぞれ、前記駆動制御ポート中の対応する接続端子に接続されることを特徴とする請求項１５に記載のディスプレイ。
【請求項１７】
前記給電制御回路は、前記第１のサブスイッチ回路中の一つの前記電界効果トランジスタのオンを制御することで、前記第１のサブスイッチ回路中の前記電界効果トランジスタに対応する前記ＬＥＤ表示パネルの行中のＬＥＤ粒子中の赤色ランプへ給電し、
前記給電制御回路はさらに、前記第２のサブスイッチ回路中の、前記第１のサブスイッチ回路中の一つの前記電界効果トランジスタに対応する前記電界効果トランジスタのオンを制御することで前記第１のサブスイッチ回路中の前記電界効果トランジスタに対応する前記ＬＥＤ表示パネルにおける行中のＬＥＤ粒子中の前記緑色ランプと前記青色ランプへ給電し、
前記駆動制御回路は、前記定電流通路セット中の各定電流ロジック部品のオンを制御し、各前記定電流ロジック部品がオンされた後、それぞれ、前記定電流ロジック部品に対応する前記ＬＥＤ表示パネルの列のＬＥＤ粒子に電流通路を提供して前記電界効果トランジスタに対応する前記ＬＥＤ表示パネルの行中の前記ＬＥＤ粒子の順序表示を制御することを特徴とする請求項１６に記載のディスプレイ。
【請求項１８】
前記電界効果トランジスタがＰ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の第ｉ個のＬＥＤ粒子中の前記赤色ランプの陽極は第ｉノードに並列接続され、各行の各ノードは並列接続され、それぞれ前記第１のサブスイッチ回路中の対応する一つの前記Ｐ−ＭＯＳトランジスタのドレインに接続され、
各行の第ｊ個のＬＥＤ粒子中の前記緑色ランプの陽極と前記青色ランプの陽極は第ｊノードに並列接続され、各行の各ノードは並列接続され、それぞれ前記第２のサブスイッチ回路中の対応する一つの前記Ｐ−ＭＯＳトランジスタのドレインに接続され、
各列の各前記ＬＥＤ粒子の前記赤色ランプの陰極はそれぞれ並列接続され、また、それぞれ、前記定電流通路セット中の対応する一つの前記定電流ロジック部品の第２端子に接続され、
各列の各前記ＬＥＤ粒子の前記緑色ランプの陰極はそれぞれ並列接続され、また、それぞれ、前記定電流通路セット中の対応する一つの前記定電流ロジック部品の第２端子に接続され、
各列の各前記ＬＥＤ粒子の前記青色ランプの陰極はそれぞれ並列接続され、また、それぞれ、前記定電流通路セット中の対応する一つの前記定電流ロジック部品の第２端子に接続されることを特徴とする請求項１５乃至１７の中のいずれかに記載のディスプレイ。
【請求項１９】
前記電界効果トランジスタがＰ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の各前記ＬＥＤ粒子中の前記赤色ランプの陽極は並列接続され、それぞれ、前記第１のサブスイッチ回路中の対応する一つの前記Ｐ−ＭＯＳトランジスタのドレインに接続され、
各行の各前記ＬＥＤ粒子中の前記緑色ランプの陽極と前記青色ランプの陽極は並列接続され、それぞれ、前記第２のサブスイッチ回路中の対応する一つの前記Ｐ−ＭＯＳトランジスタのドレインに接続され、
各列の各前記ＬＥＤ粒子の前記赤色ランプの陰極はそれぞれ並列接続され、また、それぞれ、前記定電流通路セット中の対応する一つの前記定電流ロジック部品の第２端子に接続され、
各列の各前記ＬＥＤ粒子の前記緑色ランプの陰極はそれぞれ並列接続され、また、それぞれ、前記定電流通路セット中の対応する一つの前記定電流ロジック部品の第２端子に接続され、
各列の各前記ＬＥＤ粒子の前記青色ランプの陰極はそれぞれ並列接続され、また、それぞれ、前記定電流通路セット中の対応する一つの前記定電流ロジック部品の第２端子に接続されることを特徴とする請求項１５乃至１７の中のいずれかに記載のディスプレイ。
【請求項２０】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の第ｉ個のＬＥＤ粒子中の前記赤色ランプの陰極は第ｉノードに並列接続され、各行の各ノードは並列接続され、それぞれ、前記第１のサブスイッチ回路中の対応する一つの前記Ｎ−ＭＯＳトランジスタのドレインに接続され、
各行の第ｊ個のＬＥＤ粒子中の前記緑色ランプの陰極と前記青色ランプの陰極が第ｊノードに並列接続され、それぞれ、前記第２のサブスイッチ回路中の対応する一つの前記Ｎ−ＭＯＳトランジスタのドレインに接続され、各行の各ノードは並列接続され、
各列の各前記ＬＥＤ粒子の前記赤色ランプの陽極はそれぞれ並列接続され、また、それぞれ、前記定電流通路セット中の対応する一つの前記定電流ロジック部品の第２端子に接続され、
各列の各前記ＬＥＤ粒子の前記緑色ランプの陽極はそれぞれ並列接続され、また、それぞれ、前記定電流通路セット中の対応する一つの前記定電流ロジック部品の第２端子に接続され、
各列の各前記ＬＥＤ粒子の前記青色ランプの陽極はそれぞれ並列接続され、また、それぞれ、前記定電流通路セット中の対応する一つの前記定電流ロジック部品の第２端子に接続されることを特徴とする請求項１５乃至１７の中のいずれかに記載のディスプレイ。
【請求項２１】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の各前記ＬＥＤ粒子中の前記赤色ランプの陰極は並列接続され、それぞれ、前記第１のサブスイッチ回路中の対応する一つの前記Ｎ−ＭＯＳトランジスタのドレインに接続され、
各行の各前記ＬＥＤ粒子中の前記緑色ランプの陰極と前記青色ランプの陰極は並列接続され、それぞれ、前記第２のサブスイッチ回路中の対応する一つの前記Ｎ−ＭＯＳトランジスタのドレインに接続され、
各列の各前記ＬＥＤ粒子の前記赤色ランプの陽極はそれぞれ並列接続され、また、それぞれ、前記定電流通路セット中の対応する一つの前記定電流ロジック部品の第２端子に接続され、
各列の各前記ＬＥＤ粒子の前記緑色ランプの陽極はそれぞれ並列接続され、また、それぞれ、前記定電流通路セット中の対応する一つの前記定電流ロジック部品の第２端子に接続され、
各列の各前記ＬＥＤ粒子の前記青色ランプの陽極はそれぞれ並列接続され、また、それぞれ、前記定電流通路セット中の対応する一つの前記定電流ロジック部品の第２端子に接続されることを特徴とする請求項１５乃至１７の中のいずれかに記載のディスプレイ。
【請求項２２】
前記駆動回路は、第１の定電流通路セットと、第２の定電流通路セットと、第３の定電流通路セットと、を含み、
前記第１の定電流通路セットは一つ又は複数の定電流ロジック部品を含み、各前記定電流ロジック部品の第１端子はそれぞれ、前記給電機器の電源端子又はアース端子に接続され、各前記定電流ロジック部品の第３端子はそれぞれ、前記駆動制御ポートの第２のＲ表示制御サブポートに接続され、各前記定電流ロジック部品の第２端子はそれぞれ、前記ＬＥＤ表示パネルにおける対応する列の各前記ＬＥＤ粒子中の前記赤色ランプの陽極又は陰極に接続されて前記ＬＥＤ表示パネルの赤色ランプの表示を制御し、
前記第２の定電流通路セットは一つ又は複数の前記定電流ロジック部品を含み、各前記定電流ロジック部品の第１端子はそれぞれ、前記給電機器の電源端子又はアース端子に接続され、各前記定電流ロジック部品の第３端子はそれぞれ、前記駆動制御ポートの第２のＧ表示制御サブポートに接続され、各前記定電流ロジック部品の第２端子はそれぞれ、前記ＬＥＤ表示パネルにおける対応する列の各前記ＬＥＤ粒子中の前記緑色ランプの陽極又は陰極に接続されて前記ＬＥＤ表示パネルの緑色ランプの表示を制御し、
前記第３の定電流通路セットは一つ又は複数の前記定電流ロジック部品を含み、各前記定電流ロジック部品の第１端子はそれぞれ、前記給電機器の電源端子又はアース端子に接続され、各前記定電流ロジック部品の第３端子はそれぞれ、前記駆動制御ポートの第２のＢ表示制御サブポートに接続され、各前記定電流ロジック部品の第２端子はそれぞれ、前記ＬＥＤ表示パネルにおける対応する列の各前記ＬＥＤ粒子中の前記青色ランプの陽極又は陰極に接続されて前記ＬＥＤ表示パネルの青色ランプの表示を制御することを特徴とする請求項１５に記載のディスプレイ。
【請求項２３】
前記給電制御回路は前記第１のサブスイッチ回路中の一つの前記電界効果トランジスタのオンを制御することで前記第１のサブスイッチ回路中の前記電界効果トランジスタに対応する前記ＬＥＤ表示パネルの行中のＬＥＤ粒子中の赤色ランプへ給電し、
前記給電制御回路はさらに、前記第２のサブスイッチ回路中の、前記第１のサブスイッチ回路中の一つの前記電界効果トランジスタに対応する前記電界効果トランジスタのオンを制御することで前記第１のサブスイッチ回路中の前記電界効果トランジスタに対応する前記ＬＥＤ表示パネルにおける行中のＬＥＤ粒子中の前記緑色ランプと前記青色ランプへ給電し、
前記駆動制御回路は前記第２のＲ表示制御サブポートを介して前記第１の定電流通路セット中の各前記定電流ロジック部品のオンを制御し、各前記定電流ロジック部品がオンされた後、それぞれ、前記定電流ロジック部品に対応する前記ＬＥＤ表示パネルにおける列のＬＥＤ粒子中の前記赤色ランプに電流通路を提供して前記電界効果トランジスタに対応する前記ＬＥＤ表示パネルにおける行中のＬＥＤ粒子の前記赤色ランプの表示を制御して、
前記駆動制御回路はさらに、前記第２のＧ表示制御サブポートを介して前記第２の定電流通路セット中の各定電流ロジック部品のオンを制御し、各前記定電流ロジック部品がオンされた後、それぞれ、前記定電流ロジック部品に対応する前記ＬＥＤ表示パネルにおける列のＬＥＤ粒子中の前記緑色ランプに電流通路を提供して前記電界効果トランジスタに対応する前記ＬＥＤ表示パネルにおける行中のＬＥＤ粒子の前記緑色ランプの表示を制御し、
前記駆動制御回路はさらに、前記第２のＢ表示制御サブポートを介して前記第３の定電流通路セット中の各定電流ロジック部品のオンを制御し、各前記定電流ロジック部品がオンされた後、それぞれ、前記定電流ロジック部品に対応する前記ＬＥＤ表示パネルにおける列のＬＥＤ粒子中の前記青色ランプに電流通路を提供して前記電界効果トランジスタに対応する前記ＬＥＤ表示パネルにおける行中のＬＥＤ粒子の前記青色ランプの表示を制御することを特徴とする請求項２２に記載のディスプレイ。
【請求項２４】
前記電界効果トランジスタがＰ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプを含み、
各行の第ｉ個のＬＥＤ粒子中の前記赤色ランプの陽極は第ｉノードに並列接続され、各行の各ノードは並列接続され、前記第１のサブスイッチ回路中の対応する一つの前記Ｐ−ＭＯＳトランジスタのドレインに接続され、
各行の第ｊ個のＬＥＤ粒子中の前記緑色ランプの陽極と前記青色ランプの陽極は第ｊノードに並列接続され、それぞれ、前記第２のサブスイッチ回路中の対応する一つの前記Ｐ−ＭＯＳトランジスタのドレインに接続され、各行の各ノードは並列接続され、
各列の各前記ＬＥＤ粒子の前記赤色ランプの陰極はそれぞれ並列接続され、また、それぞれ、前記第１の定電流通路セット中の対応する一つの前記定電流ロジック部品の第２端子に接続され、
各列の各前記ＬＥＤ粒子の前記緑色ランプの陰極はそれぞれ並列接続され、また、それぞれ、前記第２の定電流通路セット中の対応する一つの前記定電流ロジック部品の第２端子に接続され、
各列の各前記ＬＥＤ粒子の前記青色ランプの陰極はそれぞれ並列接続され、また、それぞれ、前記第３の定電流通路セット中の対応する一つの前記定電流ロジック部品の第２端子に接続されることを特徴とする請求項２３に記載のディスプレイ。
【請求項２５】
前記電界効果トランジスタがＰ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の各前記ＬＥＤ粒子中の前記赤色ランプの陽極は並列接続され、それぞれ、前記第１のサブスイッチ回路中の対応する一つの前記Ｐ−ＭＯＳトランジスタのドレインに接続され、
各行の各前記ＬＥＤ粒子中の前記緑色ランプの陽極と前記青色ランプの陽極は並列接続されて前記ＬＥＤ表示パネルの陽極の一つの接続端子とし、それぞれ、前記第２のサブスイッチ回路中の対応する一つの前記Ｐ−ＭＯＳトランジスタのドレインに接続され、
各列の各前記ＬＥＤ粒子の前記赤色ランプの陰極はそれぞれ並列接続され、また、それぞれ、前記第１の定電流通路セット中の対応する一つの前記定電流ロジック部品の第２端子に接続され、
各列の各前記ＬＥＤ粒子の前記緑色ランプの陰極はそれぞれ並列接続され、また、それぞれ、前記第２の定電流通路セット中の対応する一つの前記定電流ロジック部品の第２端子に接続され、
各列の各前記ＬＥＤ粒子の前記青色ランプの陰極はそれぞれ並列接続され、また、それぞれ、前記第３の定電流通路セット中の対応する一つの前記定電流ロジック部品の第２端子に接続されることを特徴とする請求項２３に記載のディスプレイ。
【請求項２６】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の第ｉ個のＬＥＤ粒子中の前記赤色ランプの陰極は第ｉノードに並列接続され、各行の各ノードは並列接続され、且つそれぞれ前記第１のサブスイッチ回路中の対応する一つの前記Ｎ−ＭＯＳトランジスタのドレインに接続され、
各行の第ｊ個ＬＥＤ粒子中の前記緑色ランプの陰極と前記青色ランプの陰極は第ｊノードに並列接続され、それぞれ、前記第２のサブスイッチ回路中の対応する一つの前記Ｎ−ＭＯＳトランジスタのドレインに接続され、各行の各ノードは並列接続され、
各列の各前記ＬＥＤ粒子の前記赤色ランプの陽極はそれぞれ並列接続され、また、それぞれ、前記第１の定電流通路セット中の対応する一つの前記定電流ロジック部品の第２端子に接続され、
各列の各前記ＬＥＤ粒子の前記緑色ランプの陽極はそれぞれ並列接続され、また、それぞれ、前記第２の定電流通路セット中の対応する一つの前記定電流ロジック部品の第２端子に接続され、
各列の各前記ＬＥＤ粒子の前記青色ランプの陽極はそれぞれ並列接続され、また、それぞれ、前記第３の定電流通路セット中の対応する一つの前記定電流ロジック部品の第２端子に接続されることを特徴とする請求項２３に記載のディスプレイ。
【請求項２７】
前記電界効果トランジスタがＮ−ＭＯＳトランジスタであり、前記ＬＥＤ表示パネルがＭ行Ｎ列個のＬＥＤ粒子を含み、各前記ＬＥＤ粒子がそれぞれ、赤色ランプと緑色ランプと青色ランプとを含み、
各行の各前記ＬＥＤ粒子中の前記赤色ランプの陰極は並列接続され、それぞれ、前記第１のサブスイッチ回路中の対応する一つの前記Ｎ−ＭＯＳトランジスタのドレインに接続され、
各行の各前記ＬＥＤ粒子中の前記緑色ランプの陰極と前記青色ランプの陰極は並列接続され、それぞれ、前記第２のサブスイッチ回路中の対応する一つの前記Ｎ−ＭＯＳトランジスタのドレインに接続され、
各列の各前記ＬＥＤ粒子の前記赤色ランプの陽極はそれぞれ並列接続され、また、それぞれ、前記第１の定電流通路セット中の対応する一つの前記定電流ロジック部品の第２端子に接続され、
各列の各前記ＬＥＤ粒子の前記緑色ランプの陽極はそれぞれ並列接続され、また、それぞれ、前記第２の定電流通路セット中の対応する一つの前記定電流ロジック部品の第２端子に接続され、
各列の各前記ＬＥＤ粒子の前記青色ランプの陽極はそれぞれ並列接続され、また、それぞれ、前記第３の定電流通路セット中の対応する一つの前記定電流ロジック部品の第２端子に接続されることを特徴とする請求項２３に記載のディスプレイ。
【請求項２８】
前記ＬＥＤ表示パネルにおけるＬＥＤ粒子は赤色ランプと緑色ランプと青色ランプを含み、
前記赤色ランプ、前記緑色ランプ、前記青色ランプがＬＥＤ粒子に集積されているか、又は、
前記赤色ランプ、前記緑色ランプ、前記青色ランプがそれぞれ独立してカプセル化された後に前記ＬＥＤ粒子に設けられることを特徴とする請求項１に記載のディスプレイ。
【請求項２９】
スイッチ回路、駆動回路、制御回路を含む表示駆動回路を含み、
前記スイッチ回路と前記駆動回路の中の一つの第１端子が、給電機器の電源端子に接続され、他の第１端子は前記給電機器のアース端子に接続され、
前記スイッチ回路と前記駆動回路の中の一つの第２端子が、前記ＬＥＤ表示パネルの陽極に接続され、他の第２端子は前記ＬＥＤ表示パネルの陰極に接続され、
前記制御回路が給電制御回路と駆動制御回路とを含み、
前記給電制御回路が、給電制御ポートを介して前記スイッチ回路の第３端子に接続されて前記スイッチ回路のオン又はオフを制御し、
前記駆動制御回路が、駆動制御ポートを介して前記駆動回路の第３端子に接続されて前記駆動回路のオン又はオフを制御し、
前記スイッチ回路が、前記ＬＥＤ表示パネルへの給電を制御し、前記駆動回路は前記ＬＥＤ表示パネルの順序表示を制御することを特徴とするＬＥＤ制御システム。
【発明の詳細な説明】
【技術分野】
【０００１】
本発明は、ＬＥＤ制御分野に関し、具体的に、ＬＥＤディスプレイ及びＬＥＤ制御システムに関するものである。
【背景技術】
【０００２】
今のＬＥＤディスプレイのセルプレートの設計には、ＬＥＤと、Ｐ−ＭＯＳトランジスタと、ＬＥＤ駆動回路とをそれぞれ独立に配置する方式を利用している。図１ｂに示すように、ＬＥＤ粒子は、四本足Ｒ/Ｇ/Ｂ共陽三位一体型ＬＥＤで、その中の一本足は公共陽極で、２/３/４はそれぞれ、Ｂ/Ｇ/Ｒ三原色ＬＥＤの陰極であって、外部にロジック回路を表示して制御し、その制御ポートの中の一つは定電流制御信号出力ポートで、二番目は行給電制御ポートで、両方が協力してＬＥＤアレイ表示動作を実現する。
【０００３】
図１ａ〜１ｃは、既存技術における三陽位一体型ＬＥＤ粒子のＬＥＤ駆動回路を独立して排列したことを示す図である。図１ａに示すように、当該ＬＥＤ駆動回路は三つのロジック回路とそれに対応する定電流通路セットとを含み、それぞれ、ＬＥＤセルプレート中のＲ/Ｇ/Ｂ表示を制御するＬＥＤ駆動制御回路であって、当該三つの集積回路の内部構造は同じでであって、外部にロジック回路を表示して制御する状況下、ＬＥＤアレイを駆動して表示する。現在のＬＥＤ駆動回路は、幾つかの独立した定電流ロジック部品を含んで定電流アレイを構成し、各定電流ロジック部品は、定電流入力端子、定電流出力端子、定電流制御端子から構成され、定電流アレイの定電流出力端子は共にＬＥＤ駆動回路の外接リードＧＮＤに接続され、定電流アレイはＬＥＤ駆動制御回路の内部のロジック回路によって総括的に制御され、各独立した定電流ロジック部品の順序の動作を実現し、外部ＬＥＤの表示を制御し、また、内部のロジック回路はＬＥＤ駆動回路信号入力ポートと信号出力ポートとの二つの部分を更に含み、その中の信号入力ポートは外部表示駆動回路３０’の定電流制御信号出力ポートに接続され、信号出力ポートは下位のＬＥＤ駆動回路の信号入力ポートのカスケード接続に用いられるか又は空き状態にし、図１ｃに示すＰ−ＭＯＳ部品は、行給電制御ポートに制御されてＬＥＤアレイの行給電制御を実現する。
【０００４】
ＬＥＤセルプレートは、Ｍ行*Ｎ列のＬＥＤ行列に排列されて構成され、単一行ＬＥＤの陽極はそれぞれＰ−ＭＯＳのドレイン（Drain）に接続され、単一列ＬＥＤ原色の共通陰極はそれぞれＬＥＤ駆動回路の定電流入力端子に接続され、Ｐ−ＭＯＳのソース（Source)は給電端子ＶＣＣに接続され、ゲート（Gate）は行給電制御ポートに接続され、表示駆動回路３０’の制御によって、一つのＰ−ＭＯＳのドレイン（Drain）をオンして、当該行のＬＥＤの陽極に給電し、同時に、定電流制御信号出力ポートがＬＥＤ駆動回路のロジック回路を制御することで、定電流アレイの順序のオンを制御し、当該行のＬＥＤ電流を順序にＧＮＤまでオンし、ＬＥＤの順序の点灯を実現する。
【０００５】
上記のように、Ｐ−ＭＯＳ、ＬＥＤ駆動回路、表示駆動回路３０’が全て独立にパケット化された電子部品であるので、一定の走査方式且つ一定のＰ−ＭＯＳ負荷で、一定の解像度のＬＥＤアレイの表示に使用されるＰ−ＭＯＳ、ＬＥＤ駆動回路、表示駆動回路３０’が占めるＰＣＢ面積が一定値であって、即ち、これらの部品が占めるＰＣＢ面積が一定値であって、高密度のＬＥＤディスプレイの制御方式に応用する場合、リフレッシュレートが低く、設計難度が高い問題をもたらすことになる。
【０００６】
そして、図２ａ〜２ｃは、既存技術における六本足Ｒ/Ｇ/Ｂ三位一体型ＬＥＤのＬＥＤ駆動回路を独立して排列したことを示す図である。ここで、図２ｂに示す各六本足Ｒ/Ｇ/Ｂ三位一体型ＬＥＤの陽極は１、２、３の三つのリードを有し、内部のＲ/Ｇ/Ｂ陽極に対応し、陰極は、４、５、６の三つのリードを有し、それぞれ内部のＢ/Ｇ/Ｒ陰極に対応し、また、ＬＥＤセルプレートはＭ行*Ｎ列のＬＥＤ行列に排列されて構成され、単一行ＬＥＤの陽極はそれぞれＰ−ＭＯＳのドレイン（Drain）に、単一列ＬＥＤの共通原色陰極はそれぞれＬＥＤ駆動回路の入力端子に、Ｐ−ＭＯＳのソース（Source）は給電端子ＶＣＣに、ゲート（Gate）は表示駆動回路３０’の給電制御ロジック部分に、ドレイン（Drain）はＬＥＤセルプレートの１セットのＬＥＤ陽極（図において単一行ＬＥＤであるが、実際に、当該セットの定義は１行に限定されない）に接続され、ＬＥＤ駆動回路の制御端子はＬＥＤ駆動回路制御部分の一つの分岐に接続され、ＬＥＤ点灯された駆動電流はＬＥＤの陰極（４、５、６リード）からＬＥＤ駆動回路の入力端子及びＬＥＤ駆動制御回路の出力端子を経過してＧＮＤまで流れ、表示駆動回路３０’は行給電制御ロジック部分とＬＥＤ駆動回路制御部分とを含み、それによる制御によって、ＬＥＤセルプレートの表示動作を実現する。
【０００７】
図３ａ〜３ｃは、既存技術中のＲ/Ｇ/Ｂの独立したＬＥＤのＬＥＤ駆動回路を独立して排列したことを示す図である。図３ｂに示すように、Ｒ/Ｇ/Ｂの独立したＬＥＤ粒子の陽極はリード１で、陰極はリード２であって、応用する際、Ｒ/Ｇ/Ｂは並行に熔接されて一つのフルカラーピクセルとし、ＬＥＤセルプレートはＭ行*Ｎ列のＬＥＤ行列に排列されて構成され、単一行ＬＥＤの陽極はそれぞれＰ−ＭＯＳのドレイン（Drain）に、単一列ＬＥＤの共通原色陰極はそれぞれＬＥＤ駆動回路の入力端子に、Ｐ−ＭＯＳのソース(Source）は給電端子ＶＣＣに、ゲート（Gate）は表示駆動回路３０’の給電制御ロジック部分に、ドレイン（Drain）はＬＥＤセルプレートの１セットＬＥＤ陽極（図において単一行ＬＥＤであるが、実際に、当該セットの定義は１行に限定されない）に接続され、また、ＬＥＤ駆動回路の制御端子はＬＥＤ駆動回路制御部分の一つの分岐に接続され、ＬＥＤ点灯された駆動電流はＬＥＤ粒子の陰極（２リード）からＬＥＤ駆動回路の入力端子及びＬＥＤ駆動制御回路の出力端子を経過してＧＮＤまで流れ、表示駆動回路３０’は行給電制御ロジック部分とＬＥＤ駆動回路制御部分とを含み、それによる制御によって、ＬＥＤセルプレートの表示動作を実現する。
【０００８】
上記のように、Ｒ/Ｇ/Ｂの各原色発光ダイオードの動作電圧は異なって、ここで、赤色発光ダイオードの典型的な動作電圧は１.８〜２Ｖで、緑色、青色発光ダイオードの典型的な動作電圧は３.４〜３.６Ｖであって、Ｇ/Ｂ原色発光ダイオードの動作電圧を正常に保証するため、Ｐ−ＭＯＳの出力電圧が、緑色、青色発光ダイオードの典型的な電圧とＬＥＤ駆動回路の典型的な定電流電圧との合計を超えていなければならない。これにより、赤色発光ダイオードと緑色、青色発光ダイオードとの電圧差をＬＥＤ駆動回路に印加して熱を介して散らさなければならなく、ＬＥＤディスプレイの消費電力が大きくなってしまう。
既存技術において、ＬＥＤディスプレイの制御回路が占めるＰＣＢ面積が大きく、リフレッシュレートが低い問題に対して、未だに有効な解決案を提示していない。
【発明の概要】
【発明が解決しようとする課題】
【０００９】
既存技術において、ＬＥＤディスプレイの制御回路が占めるＰＣＢ面積が大きく、リフレッシュレートが低い問題に対して、未だに有効な解決案を提示していない問題に鑑み、本発明は、上記問題を解決できるＬＥＤディスプレイ及びＬＥＤ制御システムを提供することをその目的とする。
【課題を解決するための手段】
【００１０】
上記目的を実現するため、本発明の一態様によると、ＬＥＤ表示パネルと、スイッチ回路と駆動回路と制御回路を含む表示駆動回路とを含み、ここで、スイッチ回路と駆動回路の中の一つの第１端子が給電機器の電源端子に接続され、他の第１端子が給電機器のアース端子に接続され、スイッチ回路と駆動回路の中の一つの第２端子がＬＥＤ表示パネルの陽極に接続され、他の第２端子がＬＥＤ表示パネルの陰極に接続され、また、制御回路が、給電制御回路と駆動制御回路とを含み、ここで、給電制御回路は給電制御ポートを介してスイッチ回路の第３端子に接続されて、スイッチ回路のオン又はオフを制御し、駆動制御回路は駆動制御ポートを介して駆動回路の第３端子に接続されて駆動回路のオン又はオフを制御し、スイッチ回路はＬＥＤ表示パネルへの給電を制御し、駆動回路はＬＥＤ表示パネルの順序表示を制御するＬＥＤディスプレイを提供する。
【００１１】
更に、スイッチ回路は、一つ又は複数の電界効果トランジスタを含む一つのサブスイッチ回路を含み、各電界効果トランジスタのソースはそれぞれ給電機器の電源端子又はアース端子に接続され、各電界効果トランジスタのドレインはそれぞれ、ＬＥＤ表示パネルにおける対応する行の各ＬＥＤ粒子の陽極又は陰極に接続され、各電界効果トランジスタのゲートはそれぞれ給電制御ポート中の対応する接続端子に接続される。
【００１２】
更に、駆動回路は、一つ又は複数の定電流ロジック部品を含む定電流通路セットを含み、各定電流ロジック部品の第１端子はそれぞれ、給電機器の電源端子又はアース端子に接続され、各定電流ロジック部品の第２端子はそれぞれ、ＬＥＤ表示パネルにおける対応する列のＬＥＤ粒子の陽極又は陰極に接続され、各定電流ロジック部品の第３端子はそれぞれ、駆動制御ポート中の対応する接続端子に接続される。
【００１３】
更に、給電制御回路は各電界効果トランジスタのオンを制御することで電界効果トランジスタに対応するＬＥＤ表示パネルの行中のＬＥＤ粒子に給電し、駆動制御回路は定電流通路セット中の各定電流ロジック部品のオンを制御し、各定電流ロジック部品がオンされた後、それぞれ、定電流ロジック部品に対応するＬＥＤ表示パネルの列のＬＥＤ粒子に電流通路を提供してＬＥＤ粒子の順序表示を制御する。
【００１４】
更に、電界効果トランジスタがＰ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の第ｉ個のＬＥＤ粒子中の赤色ランプの陽極、緑色ランプの陽極および青色ランプの陽極は第ｉノードに並列接続され、各行の各ノードは並列接続され、且つそれぞれスイッチ回路中の対応する一つのＰ−ＭＯＳトランジスタのドレインに接続され、また、各列の各ＬＥＤ粒子の赤色ランプの陰極はそれぞれ並列接続され、また、それぞれ定電流通路セット中の対応する一つの定電流ロジック部品の第２端子に接続され、各列の各ＬＥＤ粒子の緑色ランプの陰極はそれぞれ並列接続され、また、それぞれ定電流通路セット中の対応する一つの定電流ロジック部品の第２端子に接続され、各列の各ＬＥＤ粒子の青色ランプの陰極はそれぞれ並列接続され、また、それぞれ定電流通路セット中の対応する一つの定電流ロジック部品の第２端子に接続される。
【００１５】
更に、電界効果トランジスタがＰ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の各ＬＥＤ粒子中の赤色ランプの陽極、緑色ランプの陽極および青色ランプの陽極は並列接続され、スイッチ回路中の対応する一つのＰ−ＭＯＳトランジスタのドレインに接続され、各列の各ＬＥＤ粒子の赤色ランプの陰極はそれぞれ並列接続され、また、それぞれ定電流通路セット中の対応する一つの定電流ロジック部品の第２端子に接続され、各列の各ＬＥＤ粒子の緑色ランプの陰極はそれぞれ並列接続され、また、それぞれ定電流通路セット中の対応する一つの定電流ロジック部品の第２端子に接続され、各列の各ＬＥＤ粒子の青色ランプの陰極はそれぞれ並列接続され、また、それぞれ定電流通路セット中の対応する一つの定電流ロジック部品の第２端子に接続される。
【００１６】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ赤色ランプと緑色ランプと青色ランプとを含み、各行の第ｉ個のＬＥＤ粒子中の赤色ランプの陰極、緑色ランプの陰極および青色ランプの陰極は第ｉノードに並列接続され、且つ各行の各ノードは並列接続され、スイッチ回路中の対応する一つのＮ−ＭＯＳトランジスタのドレインに接続され、各列の各ＬＥＤ粒子の赤色ランプの陽極はそれぞれ並列接続され、また、それぞれ定電流通路セット中の対応する一つの定電流ロジック部品の第２端子に接続され、各列の各ＬＥＤ粒子の緑色ランプの陽極はそれぞれ並列接続され、また、それぞれ定電流通路セット中の対応する一つの定電流ロジック部品の第２端子に接続され、各列の各ＬＥＤ粒子の青色ランプの陽極はそれぞれ並列接続され、また、それぞれ定電流通路セット中の対応する一つの定電流ロジック部品の第２端子に接続される。
【００１７】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ赤色ランプと緑色ランプと青色ランプとを含み、各行の各ＬＥＤ粒子中の赤色ランプの陰極、緑色ランプの陰極および青色ランプの陰極は並列接続され、スイッチ回路中の対応する一つのＮ−ＭＯＳトランジスタのドレインに接続され、各列の各ＬＥＤ粒子の赤色ランプの陽極はそれぞれ並列接続され、また、それぞれ定電流通路セット中の対応する一つの定電流ロジック部品の第２端子に接続され、各列の各ＬＥＤ粒子の緑色ランプの陽極はそれぞれ並列接続され、また、それぞれ定電流通路セット中の対応する一つの定電流ロジック部品の第２端子に接続され、各列の各ＬＥＤ粒子の青色ランプの陽極はそれぞれ並列接続され、また、それぞれ定電流通路セット中の対応する一つの定電流ロジック部品の第２端子に接続される。
【００１８】
更に、駆動回路は、第１の定電流通路セットと、第２の定電流通路セットと、第３の定電流通路セットと、を含み、第１の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＲ表示制御サブポートに接続され、各定電流ロジック部品の第２端子はそれぞれ、ＬＥＤ表示パネルにおける対応する列の各ＬＥＤ粒子中の赤色ランプの陽極又は陰極に接続されてＬＥＤ表示パネルの赤色ランプの表示を制御し、第２の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＧ表示制御サブポートに接続され、各定電流ロジック部品の第２端子はそれぞれ、ＬＥＤ表示パネルにおける対応する列の各ＬＥＤ粒子中の緑色ランプの陽極又は陰極に接続されてＬＥＤ表示パネルの緑色ランプの表示を制御し、第３の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＢ表示制御サブポートに接続され、各定電流ロジック部品の第２端子はそれぞれ、ＬＥＤ表示パネルにおける対応する列の各ＬＥＤ粒子中の青色ランプの陽極又は陰極に接続されてＬＥＤ表示パネルの青色ランプの表示を制御する。
【００１９】
更に、給電制御回路は各電界効果トランジスタのオンを制御することで電界効果トランジスタに対応するＬＥＤ表示パネルにおける行中のＬＥＤ粒子に給電し、駆動制御回路は第１のＲ表示制御サブポートを介して第１の定電流通路セット中の各定電流ロジック部品のオンを制御し、各定電流ロジック部品がオンされて、それぞれ、定電流ロジック部品に対応するＬＥＤ表示パネルにおける列のＬＥＤ粒子中の赤色ランプに電流通路を提供して電界効果トランジスタに対応するＬＥＤ表示パネルにおける行中のＬＥＤ粒子の赤色ランプの表示を制御し、駆動制御回路はさらに、第１のＧ表示制御サブポートを介して第２の定電流通路セット中の各定電流ロジック部品のオンを制御し、各定電流ロジック部品がオンされて、それぞれ、定電流ロジック部品に対応するＬＥＤ表示パネルにおける列のＬＥＤ粒子中の緑色ランプに電流通路を提供して電界効果トランジスタに対応するＬＥＤ表示パネルにおける行中のＬＥＤ粒子の緑色ランプの表示を制御し、駆動制御回路はさらに、第１のＢ表示制御サブポートを介して第３の定電流通路セット中の各定電流ロジック部品のオンを制御し、各定電流ロジック部品がオンされて、それぞれ、定電流ロジック部品に対応するＬＥＤ表示パネルにおける列のＬＥＤ粒子中の青色ランプに電流通路を提供して電界効果トランジスタに対応するＬＥＤ表示パネルにおける行中のＬＥＤ粒子の青色ランプの表示を制御する。
【００２０】
更に、電界効果トランジスタがＰ−ＭＯＳトランジスタであり、ＬＥＤ表示パネルがＭ行Ｎ列個のＬＥＤ粒子を含み、各ＬＥＤ粒子はそれぞれ、赤色ランプと緑色ランプと青色ランプとを含み、各行の第ｉ個のＬＥＤ粒子中の赤色ランプの陽極、緑色ランプの陽極、青色ランプの陽極は第ｉノードに並列接続され、各行の各ノードは並列接続され、且つそれぞれ、スイッチ回路中の対応する一つのＰ−ＭＯＳトランジスタのドレインに接続され、各列の各ＬＥＤ粒子の赤色ランプの陰極はそれぞれ並列接続され、また、それぞれ、第１の定電流通路セット中の対応する一つの定電流ロジック部品の第２端子に接続され、各列の各ＬＥＤ粒子の緑色ランプの陰極はそれぞれ並列接続され、また、それぞれ、第２の定電流通路セット中の対応する一つの定電流ロジック部品の第２端子に接続され、各列の各ＬＥＤ粒子の青色ランプの陰極はそれぞれ並列接続され、また、それぞれ、第３の定電流通路セット中の対応する一つの定電流ロジック部品の第２端子に接続される。
【００２１】
更に、電界効果トランジスタがＰ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の各ＬＥＤ粒子中の赤色ランプの陽極、緑色ランプの陽極、青色ランプの陽極は並列接続され、それぞれ、スイッチ回路中の対応する一つのＰ−ＭＯＳトランジスタのドレインに接続され、各列の各ＬＥＤ粒子の赤色ランプの陰極はそれぞれ並列接続され、また、それぞれ、第１の定電流通路セット中の対応する一つの定電流ロジック部品の第２端子に接続され、各列の各ＬＥＤ粒子の緑色ランプの陰極はそれぞれ並列接続され、また、それぞれ、第２の定電流通路セット中の対応する一つの定電流ロジック部品の第２端子に接続され、各列の各ＬＥＤ粒子の青色ランプの陰極はそれぞれ並列接続され、また、それぞれ、第３の定電流通路セット中の対応する一つの定電流ロジック部品の第２端子に接続される。
【００２２】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の第ｉ個のＬＥＤ粒子中の赤色ランプの陰極、緑色ランプの陰極、青色ランプの陰極は第ｉノードに並列接続され、それぞれ、スイッチ回路中の対応する一つのＮ−ＭＯＳトランジスタのドレインに接続され、各行の各ノードは並列接続され、各列の各ＬＥＤ粒子の赤色ランプの陽極はそれぞれ並列接続されてＬＥＤ表示パネルの陽極の一つの接続端子として用いられ、また、それぞれ、第１の定電流通路セット中の対応する一つの定電流ロジック部品の第２端子に接続され、各列の各ＬＥＤ粒子の緑色ランプの陽極はそれぞれ並列接続されてＬＥＤ表示パネルの陽極の一つの接続端子として用いられ、また、それぞれ、第２の定電流通路セット中の対応する一つの定電流ロジック部品の第２端子に接続され、各列の各ＬＥＤ粒子の青色ランプの陽極はそれぞれ並列接続されてＬＥＤ表示パネルの陽極の一つの接続端子として用いられ、また、それぞれ、第３の定電流通路セット中の対応する一つの定電流ロジック部品の第２端子に接続される。
【００２３】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の各ＬＥＤ粒子中の赤色ランプの陰極、緑色ランプの陰極、青色ランプの陰極は並列接続され、それぞれ、スイッチ回路中の対応する一つのＮ−ＭＯＳトランジスタのドレインに接続され、各列の各ＬＥＤ粒子の赤色ランプの陽極はそれぞれ並列接続され、また、それぞれ、第１の定電流通路セット中の対応する一つの定電流ロジック部品の第２端子に接続され、各列の各ＬＥＤ粒子の緑色ランプの陽極はそれぞれ並列接続され、また、それぞれ、第２の定電流通路セット中の対応する一つの定電流ロジック部品の第２端子に接続され、各列の各ＬＥＤ粒子の青色ランプの陽極はそれぞれ並列接続され、また、それぞれ、第３の定電流通路セット中の対応する一つの定電流ロジック部品の第２端子に接続される。
【００２４】
更に、スイッチ回路は第１のサブスイッチ回路と、第２のサブスイッチ回路とを含み、第１のサブスイッチ回路と第２のサブスイッチ回路は、それぞれ一つ又は複数の電界効果トランジスタを含み、且つ、第１のサブスイッチ回路と第２のサブスイッチ回路の中の各電界効果トランジスタのソースはそれぞれ、給電機器の電源端子又はアース端子に接続され、第１のサブスイッチ回路中の各電界効果トランジスタのドレインはそれぞれ、ＬＥＤ表示パネルにおける対応する行中の各ＬＥＤ粒子中の赤色ランプの陽極又は陰極に接続され、各電界効果トランジスタのゲートはそれぞれ、給電制御ポート中の対応する接続端子に接続されてＬＥＤ表示パネルの赤色ランプへの給電を制御し、第２のサブスイッチ回路中の各電界効果トランジスタのドレインはそれぞれ、ＬＥＤ表示パネルにおける対応する行中の各ＬＥＤ粒子中の緑色ランプと青色ランプの陽極又は陰極に接続され、各電界効果トランジスタのゲートはそれぞれ、給電制御ポート中の対応する接続端子に接続されてＬＥＤ表示パネルの緑色ランプと青色ランプへの給電を制御する。
【００２５】
更に、駆動回路は、一つ又は複数の定電流ロジック部品を含む一つの定電流通路セットを含み、各定電流ロジック部品の第１端子はそれぞれ、給電機器の電源端子又はアース端子に接続され、各定電流ロジック部品の第２端子はそれぞれ、ＬＥＤ表示パネルにおける対応する列のＬＥＤ粒子の陽極又は陰極に接続され、各定電流ロジック部品の第３端子はそれぞれ、駆動制御ポート中の対応する接続端子に接続される。
【００２６】
更に、給電制御回路は第１のサブスイッチ回路中の一つの電界効果トランジスタのオンを制御することで第１のサブスイッチ回路中の電界効果トランジスタに対応するＬＥＤ表示パネルの行中のＬＥＤ粒子中の赤色ランプへ給電し、給電制御回路はさらに、第２のサブスイッチ回路中の、第１のサブスイッチ回路中の一つの電界効果トランジスタに対応する電界効果トランジスタのオンを制御することで第１のサブスイッチ回路中の電界効果トランジスタに対応するＬＥＤ表示パネルにおける行中のＬＥＤ粒子中の緑色ランプと青色ランプへ給電し、駆動制御回路は、定電流通路セット中の各定電流ロジック部品のオンを制御し、各定電流ロジック部品がオンされた後、それぞれ、定電流ロジック部品に対応するＬＥＤ表示パネルの列のＬＥＤ粒子に電流通路を提供して電界効果トランジスタに対応するＬＥＤ表示パネルの行中のＬＥＤ粒子の順序表示を制御する。
【００２７】
更に、電界効果トランジスタがＰ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の第ｉ個のＬＥＤ粒子中の赤色ランプの陽極は第ｉノードに並列接続され、各行の各ノードは並列接続され、それぞれ第１のサブスイッチ回路中の対応する一つのＰ−ＭＯＳトランジスタのドレインに接続され、各行の第ｊ個のＬＥＤ粒子中の緑色ランプの陽極と青色ランプの陽極は第ｊノードに並列接続され、各行の各ノードは並列接続され、それぞれ、第２のサブスイッチ回路中の対応する一つのＰ−ＭＯＳトランジスタのドレインに接続され、各列の各ＬＥＤ粒子の赤色ランプの陰極はそれぞれ並列接続され、また、それぞれ、定電流通路セット中の対応する一つの定電流ロジック部品の第２端子に接続され、各列の各ＬＥＤ粒子の緑色ランプの陰極はそれぞれ並列接続され、また、それぞれ、定電流通路セット中の対応する一つの定電流ロジック部品の第２端子に接続され、各列の各ＬＥＤ粒子の青色ランプの陰極はそれぞれ並列接続され、また、それぞれ、定電流通路セット中の対応する一つの定電流ロジック部品の第２端子に接続される。
【００２８】
更に、電界効果トランジスタがＰ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の各ＬＥＤ粒子中の赤色ランプの陽極は並列接続され、それぞれ、第１のサブスイッチ回路中の対応する一つのＰ−ＭＯＳトランジスタのドレインに接続され、各行の各ＬＥＤ粒子中の緑色ランプの陽極と青色ランプの陽極は並列接続され、それぞれ、第２のサブスイッチ回路中の対応する一つのＰ−ＭＯＳトランジスタのドレインに接続され、各列の各ＬＥＤ粒子の赤色ランプの陰極はそれぞれ並列接続され、また、それぞれ、定電流通路セット中の対応する一つの定電流ロジック部品の第２端子に接続され、各列の各ＬＥＤ粒子の緑色ランプの陰極はそれぞれ並列接続され、また、それぞれ、定電流通路セット中の対応する一つの定電流ロジック部品の第２端子に接続され、各列の各ＬＥＤ粒子の青色ランプの陰極はそれぞれ並列接続され、また、それぞれ、定電流通路セット中の対応する一つの定電流ロジック部品の第２端子に接続される。
【００２９】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の第ｉ個のＬＥＤ粒子中の赤色ランプの陰極は第ｉノードに並列接続され、各行の各ノードは並列接続され、それぞれ、第１のサブスイッチ回路中の対応する一つのＮ−ＭＯＳトランジスタのドレインに接続され、各行の第ｊ個のＬＥＤ粒子中の緑色ランプの陰極と青色ランプの陰極が第ｊノードに並列接続され、それぞれ、第２のサブスイッチ回路中の対応する一つのＮ−ＭＯＳトランジスタのドレインに接続され、各行の各ノードは並列接続され、各列の各ＬＥＤ粒子の赤色ランプの陽極はそれぞれ並列接続され、また、それぞれ、定電流通路セット中の対応する一つの定電流ロジック部品の第２端子に接続され、各列の各ＬＥＤ粒子の緑色ランプの陽極はそれぞれ並列接続され、また、それぞれ、定電流通路セット中の対応する一つの定電流ロジック部品の第２端子に接続され、各列の各ＬＥＤ粒子の青色ランプの陽極はそれぞれ並列接続され、また、それぞれ、定電流通路セット中の対応する一つの定電流ロジック部品の第２端子に接続される。
【００３０】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の各ＬＥＤ粒子中の赤色ランプの陰極は並列接続され、それぞれ、第１のサブスイッチ回路中の対応する一つのＮ−ＭＯＳトランジスタのドレインに接続され、各行の各ＬＥＤ粒子中の緑色ランプの陰極と青色ランプの陰極は並列接続され、それぞれ、第２のサブスイッチ回路中の対応する一つのＮ−ＭＯＳトランジスタのドレインに接続され、各列の各ＬＥＤ粒子の赤色ランプの陽極はそれぞれ並列接続され、また、それぞれ、定電流通路セット中の対応する一つの定電流ロジック部品の第２端子に接続され、各列の各ＬＥＤ粒子の緑色ランプの陽極はそれぞれ並列接続され、また、それぞれ、定電流通路セット中の対応する一つの定電流ロジック部品の第２端子に接続され、各列の各ＬＥＤ粒子の青色ランプの陽極はそれぞれ並列接続され、また、それぞれ、定電流通路セット中の対応する一つの定電流ロジック部品の第２端子に接続される。
【００３１】
更に、駆動回路は、第１の定電流通路セットと、第２の定電流通路セットと、第３の定電流通路セットと、を含み、第１の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第２のＲ表示制御サブポートに接続され、各定電流ロジック部品の第２端子はそれぞれ、ＬＥＤ表示パネルにおける対応する列の各ＬＥＤ粒子中の赤色ランプの陽極又は陰極に接続されてＬＥＤ表示パネルの赤色ランプの表示を制御し、第２の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第２のＧ表示制御サブポートに接続され、各定電流ロジック部品の第２端子はそれぞれ、ＬＥＤ表示パネルにおける対応する列の各ＬＥＤ粒子中の緑色ランプの陽極又は陰極に接続されてＬＥＤ表示パネルの緑色ランプの表示を制御し、第３の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第２のＢ表示制御サブポートに接続され、各定電流ロジック部品の第２端子はそれぞれ、ＬＥＤ表示パネルにおける対応する列の各ＬＥＤ粒子中の青色ランプの陽極又は陰極に接続されてＬＥＤ表示パネルの青色ランプの表示を制御する。
【００３２】
更に、給電制御回路は第１のサブスイッチ回路中の一つの電界効果トランジスタのオンを制御することで第１のサブスイッチ回路中の電界効果トランジスタに対応するＬＥＤ表示パネルの行中のＬＥＤ粒子中の赤色ランプへ給電し、給電制御回路はさらに、第２のサブスイッチ回路中の、第１のサブスイッチ回路中の一つの電界効果トランジスタに対応する電界効果トランジスタのオンを制御することで第１のサブスイッチ回路中の電界効果トランジスタに対応するＬＥＤ表示パネルにおける行中のＬＥＤ粒子中の緑色ランプと青色ランプへ給電し、駆動制御回路は第２のＲ表示制御サブポートを介して第１の定電流通路セット中の各定電流ロジック部品のオンを制御し、各定電流ロジック部品がオンされた後、それぞれ、定電流ロジック部品に対応するＬＥＤ表示パネルにおける列のＬＥＤ粒子中の赤色ランプに電流通路を提供して電界効果トランジスタに対応するＬＥＤ表示パネルにおける行中のＬＥＤ粒子の赤色ランプの表示を制御して、駆動制御回路はさらに、第２のＧ表示制御サブポートを介して第２の定電流通路セット中の各定電流ロジック部品のオンを制御し、各定電流ロジック部品がオンされた後、それぞれ、定電流ロジック部品に対応するＬＥＤ表示パネルにおける列のＬＥＤ粒子中の緑色ランプに電流通路を提供して電界効果トランジスタに対応するＬＥＤ表示パネルにおける行中のＬＥＤ粒子の緑色ランプの表示を制御し、駆動制御回路はさらに、第２のＢ表示制御サブポートを介して第３の定電流通路セット中の各定電流ロジック部品のオンを制御し、各定電流ロジック部品がオンされた後、それぞれ、定電流ロジック部品に対応するＬＥＤ表示パネルにおける列のＬＥＤ粒子中の青色ランプに電流通路を提供して電界効果トランジスタに対応するＬＥＤ表示パネルにおける行中のＬＥＤ粒子の青色ランプの表示を制御する。
【００３３】
更に、電界効果トランジスタがＰ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の第ｉ個のＬＥＤ粒子中の赤色ランプの陽極は第ｉノードに並列接続され、各行の各ノードは並列接続され、第１のサブスイッチ回路中の対応する一つのＰ−ＭＯＳトランジスタのドレインに接続され、各行の第ｊ個のＬＥＤ粒子中の緑色ランプの陽極と青色ランプの陽極は第ｊノードに並列接続され、それぞれ、第２のサブスイッチ回路中の対応する一つのＰ−ＭＯＳトランジスタのドレインに接続され、各行の各ノードは並列接続され、各列の各ＬＥＤ粒子の赤色ランプの陰極はそれぞれ並列接続され、また、それぞれ、第１の定電流通路セット中の対応する一つの定電流ロジック部品の第２端子に接続され、各列の各ＬＥＤ粒子の緑色ランプの陰極はそれぞれ並列接続され、また、それぞれ、第２の定電流通路セット中の対応する一つの定電流ロジック部品の第２端子に接続され、各列の各ＬＥＤ粒子の青色ランプの陰極はそれぞれ並列接続され、また、それぞれ、第３の定電流通路セット中の対応する一つの定電流ロジック部品の第２端子に接続される。
【００３４】
更に、電界効果トランジスタがＰ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の各ＬＥＤ粒子中の赤色ランプの陽極は並列接続され、それぞれ、第１のサブスイッチ回路中の対応する一つのＰ−ＭＯＳトランジスタのドレインに接続され、各行の各ＬＥＤ粒子中の緑色ランプの陽極と青色ランプの陽極は並列接続されてＬＥＤ表示パネルの陽極の一つの接続端子とし、それぞれ、第２のサブスイッチ回路中の対応する一つのＰ−ＭＯＳトランジスタのドレインに接続され、各列の各ＬＥＤ粒子の赤色ランプの陰極はそれぞれ並列接続され、また、それぞれ、第１の定電流通路セット中の対応する一つの定電流ロジック部品の第２端子に接続され、各列の各ＬＥＤ粒子の緑色ランプの陰極はそれぞれ並列接続され、また、それぞれ、第２の定電流通路セット中の対応する一つの定電流ロジック部品の第２端子に接続され、各列の各ＬＥＤ粒子の青色ランプの陰極はそれぞれ並列接続され、また、それぞれ、第３の定電流通路セット中の対応する一つの定電流ロジック部品の第２端子に接続される。
【００３５】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の第ｉ個のＬＥＤ粒子中の赤色ランプの陰極は第ｉノードに並列接続され、各行の各ノードは並列接続され、且つそれぞれ、第１のサブスイッチ回路中の対応する一つのＮ−ＭＯＳトランジスタのドレインに接続され、各行の第ｊ個ＬＥＤ粒子中の緑色ランプの陰極と青色ランプの陰極は第ｊノードに並列接続され、それぞれ、第２のサブスイッチ回路中の対応する一つのＮ−ＭＯＳトランジスタのドレインに接続され、各行の各ノードは並列接続され、各列の各ＬＥＤ粒子の赤色ランプの陽極はそれぞれ並列接続され、また、それぞれ、第１の定電流通路セット中の対応する一つの定電流ロジック部品の第２端子に接続され、各列の各ＬＥＤ粒子の緑色ランプの陽極はそれぞれ並列接続され、また、それぞれ、第２の定電流通路セット中の対応する一つの定電流ロジック部品の第２端子に接続され、各列の各ＬＥＤ粒子の青色ランプの陽極はそれぞれ並列接続され、また、それぞれ、第３の定電流通路セット中の対応する一つの定電流ロジック部品の第２端子に接続される。
【００３６】
更に、電界効果トランジスタがＮ−ＭＯＳトランジスタであり、ＬＥＤ表示パネルがＭ行Ｎ列個のＬＥＤ粒子を含み、各ＬＥＤ粒子がそれぞれ、赤色ランプと緑色ランプと青色ランプとを含み、各行の各ＬＥＤ粒子中の赤色ランプの陰極は並列接続され、それぞれ、第１のサブスイッチ回路中の対応する一つのＮ−ＭＯＳトランジスタのドレインに接続され、各行の各ＬＥＤ粒子中の緑色ランプの陰極と青色ランプの陰極は並列接続され、それぞれ、第２のサブスイッチ回路中の対応する一つのＮ−ＭＯＳトランジスタのドレインに接続され、各列の各ＬＥＤ粒子の赤色ランプの陽極はそれぞれ並列接続され、また、それぞれ、第１の定電流通路セット中の対応する一つの定電流ロジック部品の第２端子に接続され、各列の各ＬＥＤ粒子の緑色ランプの陽極はそれぞれ並列接続され、また、それぞれ、第２の定電流通路セット中の対応する一つの定電流ロジック部品の第２端子に接続され、各列の各ＬＥＤ粒子の青色ランプの陽極はそれぞれ並列接続され、また、それぞれ、第３の定電流通路セット中の対応する一つの定電流ロジック部品の第２端子に接続される。
【００３７】
更に、ＬＥＤ表示パネルにおけるＬＥＤ粒子は赤色ランプ、緑色ランプ、青色ランプを含み、赤色ランプ、緑色ランプ、青色ランプがＬＥＤ粒子に集積されているか、又は、赤色ランプ、緑色ランプ、青色ランプがそれぞれ独立してカプセル化された後にＬＥＤ粒子に設けられる。
【００３８】
上記目的を実現するため、本発明の他の一態様によると、スイッチ回路、駆動回路、制御回路を含む表示駆動回路を含み、スイッチ回路と駆動回路の中の一つの第１端子が給電機器の電源端子に接続され、他の第１端子は給電機器のアース端子に接続され、スイッチ回路と駆動回路の中の一つの第２端子がＬＥＤ表示パネルの陽極に接続され、他の第２端子はＬＥＤ表示パネルの陰極に接続され、制御回路が給電制御回路と駆動制御回路とを含み、給電制御回路が給電制御ポートを介してスイッチ回路の第３端子に接続されてスイッチ回路のオン又はオフを制御し、駆動制御回路は駆動制御ポートを介して駆動回路の第３端子に接続されて駆動回路のオン又はオフを制御し、スイッチ回路はＬＥＤ表示パネルへの給電を制御し、駆動回路はＬＥＤ表示パネルの順序表示を制御するＬＥＤ制御システムを提供する。
【００３９】
本発明のＬＥＤディスプレイ及びＬＥＤ制御システムによると、スイッチ回路と、駆動回路と、制御回路を表示駆動回路に集積することによって、元のＬＥＤ表示パネルの面積が不変である状況下、更に多い表示駆動回路を配置することができ、面積が一定であるＬＥＤディスプレイにおいて、ＬＥＤ粒子と表示駆動回路の数量の比を小さくし、リフレッシュレートを向上させ、且つ、ＬＥＤ表示パネルにおけるＭ行*Ｎ列のＬＥＤ粒子アレイと表示駆動回路の接続関係を明確にし、接続線路が少なく、ＰＣＢの設計難度を低減できる。また、既存技術におけるＬＥＤディスプレイの制御回路が占めるＰＣＢ面積が大きく且つリフレッシュレートが低い問題を解決し、ＬＥＤディスプレイの制御回路がパネルで占める面積が少なく、設計が簡単で、リフレッシュレートが高い効果を実現できる。
【図面の簡単な説明】
【００４０】
【図１ａ】図１ａは、既存技術における三陽位一体型のＬＥＤ粒子のＬＥＤ駆動回路を独立して排列したことを示す図である。
【図１ｂ】図１ｂは、図１ａ中の点線部分Ａの一部拡大図である。
【図１ｃ】図１ｃは、図１ｂ中の点線部分Ａ１の一部拡大図である。
【図２ａ】図２ａは、既存技術における六本足Ｒ/Ｇ/Ｂ三位一体型ＬＥＤのＬＥＤ駆動回路を独立して排列したことを示すである。
【図２ｂ】図２ｂは、図２ａ中の点線部分Ｂの一部拡大図である。
【図２ｃ】図２ｃは、図２ｂ中の点線部分Ｂ１の一部拡大図である。
【図３ａ】図３ａは、既存技術におけるＲ/Ｇ/Ｂ独立したＬＥＤのＬＥＤ駆動回路を独立して排列したことを示す図である。
【図３ｂ】図３ｂは、図３ａ中の点線部分Ｃの一部拡大図である。
【図３ｃ】図３ｃは、図３ｂ中の点線部分Ｃ１の一部拡大図である。
【図４】図４は、本発明の実施例１に係わるＬＥＤディスプレイの構造を示す図である。
【図５ａ】図５ａは、本発明の実施例１に係わるＬＥＤディスプレイの詳細な構造を示す図である。
【図５ｂ】図５ｂは、図５ａ中の点線部分Ｄの一部拡大図である。
【図５ｃ】図５ｃは、図５ｂ中の点線部分Ｄ１の一部拡大図である。
【図６ａ】図６ａは、本発明の実施例２に係わるＬＥＤディスプレイの構造を示す図である。
【図６ｂ】図６ｂは、図６ａ中の点線部分Ｅの一部拡大図である。
【図６ｃ】図６ｃは、図６ｂ中の点線部分Ｅ１の一部拡大図である。
【図７ａ】図７ａは、本発明の実施例３に係わるＬＥＤディスプレイの構造を示す図である。
【図７ｂ】図７ｂは、図７ａ中の点線部分Ｆの一部拡大図である。
【図７ｃ】図７ｃは、図７ｂ中の点線部分Ｆ１の一部拡大図である。
【図７ｄ】図７ｄは、図７ａ中の点線部分Ｇの一部拡大図である。
【図７ｅ】図７ｅは、図７ｄ中の点線部分Ｇ１の一部拡大図である。
【図８ａ】図８ａは、本発明の実施例４に係わるＬＥＤディスプレイの構造を示す図である。
【図８ｂ】図８ｂは、図８ａ中の点線部分Ｈの一部拡大図である。
【図８ｃ】図８ｃは、図８ｂ中の点線部分Ｈ１の一部拡大図である。
【図９ａ】図９ａは、本発明の実施例５に係わるＬＥＤディスプレイの構造を示す図である。
【図９ｂ】図９ｂは、図９ａ中の点線部分Ｉの一部拡大図である。
【図９ｃ】図９ｃは、図９ｂ中の点線部分Ｉ１の一部拡大図である。
【図１０ａ】図１０ａは、本発明の実施例６に係わるＬＥＤディスプレイの構造を示す図である。
【図１０ｂ】図１０ｂは、図１０ａ中の点線部分Ｊの一部拡大図である。
【図１０ｃ】図１０ｃは、図１０ｂ中の点線部分Ｊ１の一部拡大図である。
【図１０ｄ】図１０ｄは、図１０ａ中の点線部分Ｋの一部拡大図である。
【図１０ｅ】図１０ｅは、図１０ｄ中の点線部分Ｋ１の一部拡大図である。
【図１１】図１１は、本発明の実施例に係わるＬＥＤ制御システムの構造を示す図である。
【発明を実施するための形態】
【００４１】
ここで説明する図面は本発明を理解させるためのもので、本発明の一部を構成し、本発明における実施例と共に本発明を解釈し、本発明を不当に限定するのではない。
なお、衝突しない限り、本発明中の実施例及び実施例中の特徴を互いに組み合わせることができる。以下、図面を参照しつつ実施例を結合して本発明を詳しく説明する。
実施例１：
図４は本発明の実施例１に係わるＬＥＤディスプレイの構造を示す図であり、図５ａ〜５ｃは本発明の実施例１に係わるＬＥＤディスプレイの詳細な構造を示す図である。図４、図５ａ、５ｂ、５ｃに示すように、当該ＬＥＤディスプレイは、ＬＥＤ表示パネル１０と、スイッチ回路３１、駆動回路３３と制御回路３５を含む表示駆動回路３０とを含み、ここで、スイッチ回路３１と駆動回路３３の中の一つの第１端子は給電機器の電源端子に、他の第１端子は給電機器のアース端子に接続され、スイッチ回路３１と駆動回路３３の中の一つの第２端子はＬＥＤ表示パネル１０の陽極に接続され、他の第２端子はＬＥＤ表示パネル１０の陰極に接続され、制御回路３５は給電制御回路３５１と駆動制御回路３５３を含み、ここで、給電制御回路３５１は給電制御ポートを介してスイッチ回路３１の第３端子に接続されてスイッチ回路３１のオン又はオフを制御し、駆動制御回路３５３は駆動制御ポートを介して駆動回路３３の第３端子に接続されて駆動回路３３のオン又はオフを制御する。ここで、スイッチ回路３１はＬＥＤ表示パネル１０への給電を制御し、駆動回路３３はＬＥＤ表示パネル１０の順序表示を制御する。
【００４２】
本発明のＬＥＤディスプレイによると、当該ディスプレイがＬＥＤ表示パネル１０と表示駆動回路３０とを含み、ここで、表示駆動回路３０はスイッチ回路３１と、駆動回路３３と、制御回路３５とを含み、制御回路は給電制御回路３５１と駆動制御回路３５３とを含み、給電制御回路３５１はスイッチ回路３１のオン又はオフを制御し、駆動制御回路３５３は駆動回路３３のオン又はオフを制御し、その後、スイッチ回路３１のオン又はオフによってＬＥＤ表示パネル１０への給電を制御し、また、駆動回路３３のオン又はオフによってＬＥＤ表示パネル１０の表示を制御することによって、ＬＥＤ表示パネル１０の順序表示を実現できる。本発明のＬＥＤディスプレイによると、スイッチ回路３１と、駆動回路３３と、制御回路３５を表示駆動回路３０に集積して、元のＬＥＤ表示パネル１０の面積が不変である状況下、更に多い表示駆動回路３０を配置することでき、面積が一定であるＬＥＤディスプレイにおいて、ＬＥＤ粒子と表示駆動回路３０の数量の比が低減され、リフレッシュレートを向上させ、また、ＬＥＤ表示パネル１０中のＭ行*Ｎ列のＬＥＤ粒子アレイと表示駆動回路３０との接続関係がさらに明確であって、接続線路が少なく、ＰＣＢ設計難易度を低下させる。既存技術におけるＬＥＤディスプレイの制御回路３５が占めるＰＣＢ面積が大きく、リフレッシュレートが低い問題を解決し、ＬＥＤディスプレイの制御回路３５が占めるパネルの面積が少なく、設計が簡単で、リフレッシュレートが高い効果を実現できる。
【００４３】
ここで、本発明の上記実施例において、図５ｂは図５ａ中の点線に囲まれた部分Ｄの一部拡大図であり、図５ｃに示すＬＥＤ粒子は、図５ｂ中の点線に囲まれた部分Ｄ１の一部拡大図で、図において、１本足は公共陽極で、２/３/４はそれぞれＢ/Ｇ/Ｒ三原色発光ダイオードの陰極である。
【００４４】
本発明の上記実施例において、スイッチ回路３１が一つのサブスイッチ回路を含むことができ、当該サブスイッチ回路は一つ又は複数の電界効果トランジスタを含み、各電界効果トランジスタのソースはそれぞれ、給電機器の電源端子又はアース端子に接続され、各電界効果トランジスタのドレインはそれぞれ、ＬＥＤ表示パネル１０中の対応する行中の各ＬＥＤ粒子の陽極又は陰極に接続され、各電界効果トランジスタのゲートはそれぞれ、給電制御ポート中の対応する接続端子に接続される。
【００４５】
本発明の上記実施例によると、駆動回路３３が一つの定電流通路セットを含むことができ、定電流通路セットは一つ又は複数の定電流ロジック部品を含み、ここで、各定電流ロジック部品の第１端子はそれぞれ、給電機器の電源端子又はアース端子に接続され、各定電流ロジック部品の第２端子はそれぞれ、ＬＥＤ表示パネル１０中の対応する列のＬＥＤ粒子の陽極又は陰極に接続され、各定電流ロジック部品の第３端子はそれぞれ、駆動制御ポート中の対応する接続端子に接続される。
【００４６】
具体的に、給電制御回路３５１は各電界効果トランジスタのオンを制御して、電界効果トランジスタに対応するＬＥＤ表示パネル１０の行のＬＥＤ粒子へ給電し、駆動制御回路３５３は定電流通路セット中の各定電流ロジック部品のオンを制御し、各定電流ロジック部品がオンされた後、それぞれ、定電流ロジック部品に対応するＬＥＤ表示パネル１０の列のＬＥＤ粒子に電流通路を提供して、ＬＥＤ粒子の順序表示を制御する。
【００４７】
具体的に、電界効果トランジスタはＰ−ＭＯＳトランジスタであることができ、ＬＥＤ表示パネル１０はＭ行Ｎ列個のＬＥＤ粒子を含み、各ＬＥＤ粒子はそれぞれ、赤色ランプ、緑色ランプ、青色ランプを含み、ここで、各行の第ｉ個のＬＥＤ粒子中の赤色ランプの陽極、緑色ランプの陽極、青色ランプの陽極は第ｉノードに並列接続され、それぞれ、スイッチ回路３１中の対応する一つのＰ−ＭＯＳトランジスタのドレインに接続され、各行の各ノードは並列接続され、各列の各ＬＥＤ粒子の赤色ランプの陰極はそれぞれ並列接続され、それぞれ、定電流通路セット中の対応する一つの定電流ロジック部品の第２端子に接続され、各列の各ＬＥＤ粒子の緑色ランプの陰極はそれぞれ並列接続され、それぞれ、定電流通路セット中の対応する一つの定電流ロジック部品の第２端子に接続され、各列の各ＬＥＤ粒子の青色ランプの陰極はそれぞれ並列接続され、それぞれ、定電流通路セット中の対応する一つの定電流ロジック部品の第２端子に接続される。ここで、１≦ｉ≦Ｎであって、ｉは自然数で、赤色ランプ、緑色ランプ、青色ランプはそれぞれＲ/Ｇ/Ｂ原色発光ダイオードである。
【００４８】
表示駆動回路３０はサブスイッチ回路と、定電流通路セットと、制御回路３５とを含む。上記サブスイッチ回路３１はＮ個のＰ−ＭＯＳトランジスタを含み、ここで、各Ｐ−ＭＯＳトランジスタのドレインはそれぞれ、制御回路３５の出力リード中の一つのリードとして用いられ、Ｐ−ＭＯＳトランジスタのソースは表示駆動回路３０の給電端子（即ち、ＶＣＣ端子）に接続され、Ｐ−ＭＯＳトランジスタのゲートは制御回路３５の給電制御ポート中の一つの接続端子に接続され、定電流通路セットはＮ個の定電流ロジック部品（定電流ロジック回路とも呼ばれる）を含むことができ、各定電流ロジック部品の第２端子（当該実施例においては定電流ロジック部品の入力端子である）はそれぞれ、表示駆動回路３０の入力リード中の一つとして用いられ、全ての定電流ロジック部品の第１端子（即ち、出力端子）の内部は互いに接続されて、表示駆動回路３０のアース端子（即ち、ＧＮＤ端子）として給電機器のアース端子に接続され、定電流ロジック部品の第３端子（当該実施例においては定電流ロジック部品の制御端子である）は制御回路３５の駆動制御ポートに接続され、駆動回路３３の定電流制御信号を受信する。
【００４９】
実施例１において、ＬＥＤ表示パネル１０（ＬＥＤセルプレートとも呼ばれる）はＭ行*Ｎ列のＬＥＤ粒子の行列排列を含み、ここで、単一行ＬＥＤ粒子の陽極は互いに接続されて第ｉノードに接続され、各ノードをスイッチ回路３１中のサブスイッチ回路３１中の一つのＰ−ＭＯＳトランジスタのドレインに対応する出力リードに接続し、単一列ＬＥＤ粒子中の同一原色の陰極は表示駆動回路３０の定電流通路セットの定電流ロジック部品の入力端子に接続され、即ち、単一列ＬＥＤ粒子中の赤色ランプ（即ち、Ｒ発光ダイオード）の共通陰極は互いに接続されて表示駆動回路３０の定電流通路セットの定電流ロジック部品の入力端子に接続され、単一列ＬＥＤ粒子中の緑色ランプ（即ち、Ｇ原色発光ダイオード）の共通陰極は互いに接続され表示駆動回路３０の定電流通路セットの定電流ロジック部品の入力端子に接続され、単一列ＬＥＤ粒子中の青色ランプ（即ち、Ｂ原色発光ダイオード）の共通陰極は互いに接続され表示駆動回路３０の定電流通路セットの定電流ロジック部品の入力端子に接続される。
【００５０】
上記ＬＥＤ表示パネル１０は表示駆動回路３０の制御を受けて、給電制御回路３５１は給電制御ポートを介してサブスイッチ回路３１（Ｐ−ＭＯＳ通路セットであることができる）中の一つのＰ−ＭＯＳトランジスタをオン状態にして、ＬＥＤ表示パネル１０上の対応する行中のＬＥＤ粒子の陽極に給電し、駆動制御回路３５３は駆動制御ポートを介して、定電流通路セット中の各定電流ロジック部品に定電流制御信号を出力して、各定電流ロジック部品をオンされた動作状態にすることで、対応する列のＬＥＤ粒子の原色陰極に電流通路を提供し、また、ＬＥＤセルプレートの順序表示を実現する。ここで、対応する列のＬＥＤ粒子の原色陰極は、Ｒ、Ｇ、Ｂ三原色の陰極を含み、即ち、それぞれ対応する列のＬＥＤ粒子の赤色ランプ、緑色ランプ、青色ランプの順序表示を実現する。
【００５１】
本発明の上記実施例において、電界効果トランジスタがＰ−ＭＯＳトランジスタであることができ、ＬＥＤ表示パネル１０はＭ行Ｎ列個のＬＥＤ粒子を含み、各ＬＥＤ粒子はそれぞれ、赤色ランプ、緑色ランプ、青色ランプを含み、ここで、各行の各ＬＥＤ粒子中の赤色ランプの陽極、緑色ランプの陽極、青色ランプの陽極は並列接続され、スイッチ回路３１中の対応する一つのＰ−ＭＯＳトランジスタのドレインに接続され、各列の各ＬＥＤ粒子の赤色ランプの陰極はそれぞれ並列接続され、それぞれ、定電流通路セット中の対応する一つの定電流ロジック部品の第２端子に接続され、各列の各ＬＥＤ粒子の緑色ランプの陰極はそれぞれ並列接続され、それぞれ、定電流通路セット中の対応する一つの定電流ロジック部品の第２端子に接続され、各列の各ＬＥＤ粒子の青色ランプの陰極はそれぞれ並列接続され、それぞれ、定電流通路セット中の対応する一つの定電流ロジック部品の第２端子に接続される。
【００５２】
実施例１の技術案に基づいて、以下のような第１種変形実施形態が可能である。
ＬＥＤ表示パネル１０において、単一行ＬＥＤ粒子のＲ/Ｇ/Ｂ原色発光ダイオードの陽極が互いに接続されて表示駆動回路３０におけるスイッチ回路３１中の一つのＰ−ＭＯＳトランジスタのドレインに対応する出力リードに接続され、単一列ＬＥＤ粒子中の同一原色の陰極は互いに接続されて表示駆動回路３０の定電流通路セットの定電流ロジック部品の入力端子に接続され、即ち、単一列ＬＥＤ粒子中のＲ原色発光ダイオードの共通陰極は互いに接続されて表示駆動回路３０の定電流通路セットの定電流ロジック部品の入力端子に接続され、単一列ＬＥＤ粒子中のＧ原色発光ダイオードの共通陰極は互いに接続されて表示駆動回路３０の定電流通路セットの定電流ロジック部品の入力端子に接続され、単一列ＬＥＤ粒子中の青色ランプＢ原色発光ダイオードの共通陰極は互いに接続されて表示駆動回路３０の定電流通路セットの定電流ロジック部品の入力端子に接続される。
【００５３】
このような変形形態において、表示駆動回路３０の制御方式は変更されず、変更されたのはただ、ＬＥＤ表示パネル１０における単一行ＬＥＤ粒子の陽極の接続関係であって、当該変形形態において、単一行ＬＥＤ粒子のＲ/Ｇ/Ｂ原色発光ダイオードの陽極は直接に互いに接続されてスイッチ回路中の一つのＰ−ＭＯＳトランジスタのドレインに対応する出力リードに接続され、当該変形形態において、スイッチ回路３１と、駆動回路３３と、制御回路３５を表示駆動回路３０に集積したので、元のＬＥＤ表示パネル１０の面積が不変である状況下、更に多い表示駆動回路３０を配置することができ、面積が一定であるＬＥＤディスプレイにおいて、ＬＥＤ粒子と表示駆動回路３０との数量の比を低下し、リフレッシュレートを向上させ、また、ＬＥＤ表示パネル１０中のＬＥＤ粒子アレイと表示駆動回路３０との接続関係がさらに明確であって、接続線路が少なく、ＰＣＢ設計難易度を低下させる。
【００５４】
実施例１の技術案に基づいて、以下のような第２種変形実施形態が可能である。
電界効果トランジスタがＮ−ＭＯＳトランジスタであることもでき、ＬＥＤ表示パネル１０はＭ行Ｎ列個のＬＥＤ粒子を含むことができ、各ＬＥＤ粒子はそれぞれ、赤色ランプ、緑色ランプ、青色ランプを含み、ここで、各行の第ｉ個のＬＥＤ粒子中の赤色ランプの陰極、緑色ランプの陰極、青色ランプの陰極は第ｉノードに並列接続され、スイッチ回路３１中の対応する一つのＮ−ＭＯＳトランジスタのドレインに接続され、各行の各ノードは並列接続され、各列の各ＬＥＤ粒子の赤色ランプの陽極はそれぞれ並列接続され、それぞれ、定電流通路セット中の対応する一つの定電流ロジック部品の第２端子に接続され、各列の各ＬＥＤ粒子の緑色ランプの陽極はそれぞれ並列接続され、それぞれ、定電流通路セット中の対応する一つの定電流ロジック部品の第２端子に接続され、各列の各ＬＥＤ粒子の青色ランプの陽極はそれぞれ並列接続され、それぞれ、定電流通路セット中の対応する一つの定電流ロジック部品の第２端子に接続される。ここで、１≦ｉ≦Ｎであって、ｉは自然数である。
【００５５】
具体的に、当該第２種変形形態において、サブスイッチ回路はＮ個のＮ−ＭＯＳトランジスタを含み、ここで、各Ｎ−ＭＯＳトランジスタのドレインはそれぞれ制御回路３５の出力リード中の一つのリードとして用いられ、Ｎ−ＭＯＳトランジスタのソースは表示駆動回路３０のアース端子（即ち、ＧＮＤ端子）として給電機器のアース端子に接続され、Ｎ−ＭＯＳトランジスタのゲートは制御回路３５の給電制御ポート中の一つの接続端子に接続され、定電流通路セットはＮ個の定電流ロジック部品（定電流ロジック回路とも呼ばれる）を含み、各定電流ロジック部品の第２端子（即ち、入力端子）はそれぞれ表示駆動回路３０の入力リード中の一つとして用いられ、全ての定電流ロジック部品の第１端子（即ち、出力端子）の内部は互いに接続されて表示駆動回路３０の給電端子（即ち、ＶＣＣ端子）として給電機器の電源端子に接続され、定電流ロジック部品の第３端子（即ち、制御端子）は制御回路３５の表示制御ポートに接続されて駆動回路３３の定電流制御信号を受信する。
【００５６】
上記第２種変形形態において、ＬＥＤ表示パネル１０（ＬＥＤセルプレートとも呼ばれる）はＭ行*Ｎ列のＬＥＤ粒子の行列排列を含み、ここで、単一行ＬＥＤ粒子の陰極は互いに接続されて第ｉノードに接続されて、各ノードを表示駆動回路３０におけるスイッチ回路３１中の一つのＮ−ＭＯＳトランジスタのドレインに対応する出力リードに接続し、単一列ＬＥＤ粒子中の同一原色の陽極は互いに接続されて表示駆動回路３０の定電流通路セットの定電流ロジック部品の入力端子に接続され、即ち、単一列ＬＥＤ粒子中のＲ原色発光ダイオードの共通陽極は互いに接続されて表示駆動回路３０の定電流通路セットの定電流ロジック部品の入力端子に接続され、単一列ＬＥＤ粒子中のＧ原色発光ダイオードの共通陽極は互いに接続されて表示駆動回路３０の定電流通路セットの定電流ロジック部品の入力端子に接続され、単一列ＬＥＤ粒子中のＢ原色発光ダイオードの共通陽極は互いに接続されて表示駆動回路３０の定電流通路セットの定電流ロジック部品の入力端子に接続される。
【００５７】
当該第２種変形形態において、表示駆動回路３０中の給電制御回路３５１は給電制御ポートを介してサブスイッチ回路３１中のいずれか一つのＮ−ＭＯＳトランジスタを制御してオン状態にして、ＬＥＤ表示パネル１０上の対応する行中のＬＥＤ粒子の陽極へ給電し、駆動制御回路３５３は駆動制御ポートを介して定電流制御信号を定電流通路セット中の各定電流ロジック部品に送信して、各定電流ロジック部品を制御してオンされた動作状態にして、対応する列のＬＥＤ粒子の原色陽極に電流通路を提供し、ＬＥＤセルプレートの順序表示を実現する。ここで、対応する列のＬＥＤ粒子の原色陽極はＲ、Ｇ、Ｂ三原色の陽極を含み、即ち、それぞれ対応する列のＬＥＤ粒子の赤色ランプ、緑色ランプ、青色ランプの順序表示を制御する。
【００５８】
実施例１の第２種変形形態の技術案に基づいて、以下のような変形実施形態が可能である。
電界効果トランジスタがＮ−ＭＯＳトランジスタであることもでき、ＬＥＤ表示パネル１０がＭ行Ｎ列個のＬＥＤ粒子を含み、各ＬＥＤ粒子はそれぞれ、赤色ランプ、緑色ランプ、青色ランプを含み、ここで、各行の各ＬＥＤ粒子中の赤色ランプの陰極、緑色ランプの陰極、青色ランプの陰極は並列接続されて、スイッチ回路３１中の対応する一つのＮ−ＭＯＳトランジスタのドレインに接続され、各列の各ＬＥＤ粒子の赤色ランプの陽極はそれぞれ並列接続され、それぞれ、定電流通路セット中の対応する一つの定電流ロジック部品の第２端子に接続され、各列の各ＬＥＤ粒子の緑色ランプの陽極はそれぞれ並列接続され、それぞれ、定電流通路セット中の対応する一つの定電流ロジック部品の第２端子に接続され、各列の各ＬＥＤ粒子の青色ランプの陽極はそれぞれ並列接続され、それぞれ、定電流通路セット中の対応する一つの定電流ロジック部品の第２端子に接続される。
【００５９】
具体的に、当該実施形態におけるＬＥＤ表示パネル１０中の単一行ＬＥＤ粒子の陰極は互いに接続されて表示駆動回路３０におけるスイッチ回路３１中の一つのＮ−ＭＯＳトランジスタのドレインに対応する出力リードに接続され、単一列ＬＥＤ粒子中の同一原色の陽極は互いに接続され表示駆動回路３０の定電流通路セットの定電流ロジック部品の入力端子に接続され、即ち、単一列ＬＥＤ粒子中の赤色ランプＲ原色発光ダイオードの共通陽極は互いに接続されて表示駆動回路３０の定電流通路セットの定電流ロジック部品の入力端子に接続され、単一列ＬＥＤ粒子中のＧ原色発光ダイオードの共通陽極は互いに接続されて表示駆動回路３０の定電流通路セットの定電流ロジック部品の入力端子に接続され、単一列ＬＥＤ粒子中のＢ原色発光ダイオードの共通陽極は互いに接続されて表示駆動回路３０の定電流通路セットの定電流ロジック部品の入力端子に接続されることもできる。
【００６０】
実施例１の技術案に基づいて、以下のような第３の変形実施形態も可能である。
当該実施形態において、駆動回路３３は第１の定電流通路セットと、第２の定電流通路セットと、第３の定電流通路セットとを含むことができ、ここで、第１の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＲ表示制御サブポートに接続され、各定電流ロジック部品の第２端子はそれぞれ、ＬＥＤ表示パネル１０中の対応する列の各ＬＥＤ粒子中の赤色ランプの陽極又は陰極に接続されてＬＥＤ表示パネル１０の赤色ランプの表示を制御し、第２の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＧ表示制御サブポートに接続され、各定電流ロジック部品の第２端子はそれぞれ、ＬＥＤ表示パネル１０中の対応する列の各ＬＥＤ粒子中の緑色ランプの陽極又は陰極に接続されてＬＥＤ表示パネル１０の緑色ランプの表示を制御し、第３の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＢ表示制御サブポートに接続され、各定電流ロジック部品の第２端子はそれぞれ、ＬＥＤ表示パネル１０中の対応する列の各ＬＥＤ粒子中の青色ランプの陽極又は陰極に接続されてＬＥＤ表示パネル１０の青色ランプの表示を制御する。ここで、第１の定電流通路セットはＲ原色定電流通路セットであることができ、第２の定電流通路セットはＧ原色定電流通路セットであることができ、第３の定電流通路セットはＢ原色定電流通路セットであることができる。
【００６１】
具体的に、Ｒ原色定電流通路セットは一つ又は複数の定電流ロジック部品を含むことができ、これらの定電流ロジック部品の第２端子（即ち、入力端子）はＬＥＤ表示パネル１０中の対応する列のＬＥＤ粒子の赤色ランプの陰極（即ち、Ｒ原色陰極）に接続され、定電流ロジック部品の第１端子（即ち、出力端子）は互いに接続されて表示駆動回路３０の外付けリードＧＮＤとして給電機器のアース端子に接続され、定電流ロジック部品の第３端子（即ち、制御端子）は駆動制御ポートの第１のＲ表示制御サブポートに接続されて駆動制御回路３５３のＲ表示制御信号を受信し、また、Ｇ原色定電流通路セットも一つ又は複数の定電流ロジック部品を含むことができ、これらの定電流ロジック部品の第２端子（即ち、入力端子）はＬＥＤ表示パネル１０中の対応する列のＬＥＤ粒子の緑色ランプの陰極（即ち、Ｇ原色陰極）に接続され、定電流ロジック部品の第１端子（即ち、出力端子）は互いに接続されて表示駆動回路３０の外付けリードＧＮＤとして給電機器のアース端子に接続され、定電流ロジック部品の第３端子（即ち、制御端子）は駆動制御ポートの第１のＧ表示制御サブポートに接続されて駆動制御回路３５３のＧ表示制御信号を受信し、また、Ｂ原色定電流通路セットは一つ又は複数の定電流ロジック部品を含むことができ、これらの定電流ロジック部品の第２端子（即ち、入力端子）はＬＥＤ表示パネル１０中の対応する列のＬＥＤ粒子の青色ランプの陰極（即ち、Ｂ原色陰極）に接続され、定電流ロジック部品の第１端子（即ち、出力端子）は互いに接続されて表示駆動回路３０の外付けリードＧＮＤとして給電機器のアース端子に接続され、定電流ロジック部品の第３端子（即ち、制御端子）は駆動制御ポートの第１のＢ表示制御サブポートに接続されて駆動制御回路３５３のＢ表示制御信号を受信する。
【００６２】
本実施形態において、給電制御回路３５１は各電界効果トランジスタのオンを制御して電界効果トランジスタに対応するＬＥＤ表示パネル１０の行中のＬＥＤ粒子に給電し、駆動制御回路３５３は第１のＲ表示制御サブポートを介して第１の定電流通路セット中の各定電流ロジック部品のオンを制御し、各定電流ロジック部品がオンされて、それぞれ、定電流ロジック部品に対応するＬＥＤ表示パネル１０の列のＬＥＤ粒子中の赤色ランプに電流通路を提供して電界効果トランジスタに対応するＬＥＤ表示パネル１０の行中のＬＥＤ粒子の赤色ランプの表示を制御し、また、駆動制御回路３５３はさらに、第１のＧ表示制御サブポートを介して第２の定電流通路セット中の各定電流ロジック部品のオンを制御し、各定電流ロジック部品がオンされて、それぞれ、定電流ロジック部品に対応するＬＥＤ表示パネル１０の列のＬＥＤ粒子中の緑色ランプに電流通路を提供して電界効果トランジスタに対応するＬＥＤ表示パネル１０の行中のＬＥＤ粒子の緑色ランプの表示を制御し、また、駆動制御回路３５３はさらに、第１のＢ表示制御サブポートを介して第３の定電流通路セット中の各定電流ロジック部品のオンを制御し、各定電流ロジック部品がオンされて、それぞれ、定電流ロジック部品に対応するＬＥＤ表示パネル１０の列のＬＥＤ粒子中の青色ランプに電流通路を提供して電界効果トランジスタに対応するＬＥＤ表示パネル１０の行中のＬＥＤ粒子の青色ランプの表示を制御する。
【００６３】
このような実施形態において、表示駆動回路３０の給電制御ポートは変更されず、駆動制御ポートが三つのサブ制御ポートを含み、それぞれ第１/第２/第３の定電流通路セットのオン又はオフを制御することで、スイッチ回路と駆動回路がそれぞれＬＥＤ表示パネルの単一行ＬＥＤ粒子の給電と列ＬＥＤ粒子の順序表示を制御でき、当該変形形態において、スイッチ回路３１と、駆動回路３３と、制御回路３５を表示駆動回路３０に集積し、駆動回路が３セットの定電流通路セットを含むだけで、ＬＥＤ表示パネル１０の面積が不変である状況下、更に多い表示駆動回路３０を配置でき、面積が一定であるＬＥＤディスプレイにおいて、ＬＥＤ粒子と表示駆動回路３０の数量の比を低減し、リフレッシュレートを向上させ、また、ＬＥＤ表示パネル１０中のＬＥＤ粒子アレイと表示駆動回路３０との接続関係がさらに明確であって、接続線路が少なく、ＰＣＢ設計難易度を低下させる。
【００６４】
当該実施形態において、電界効果トランジスタはＰ−ＭＯＳトランジスタであることができ、ＬＥＤ表示パネル１０はＭ行Ｎ列個のＬＥＤ粒子を含み、各ＬＥＤ粒子はそれぞれ、赤色ランプ、緑色ランプ、青色ランプを含み、ここで、各行の第ｉ個のＬＥＤ粒子中の赤色ランプの陽極、緑色ランプの陽極、青色ランプの陽極は第ｉノードに並列接続され、それぞれ、スイッチ回路３１中の対応する一つのＰ−ＭＯＳトランジスタのドレインに接続され、各行の各ノードは並列接続され、各列の各ＬＥＤ粒子の赤色ランプの陰極はそれぞれ並列接続され、それぞれ、第１の定電流通路セット中の対応する一つの定電流ロジック部品の第２端子に接続され、各列の各ＬＥＤ粒子の緑色ランプの陰極はそれぞれ並列接続され、それぞれ、第２の定電流通路セット中の対応する一つの定電流ロジック部品の第２端子に接続され、各列の各ＬＥＤ粒子の青色ランプの陰極はそれぞれ並列接続され、それぞれ、第３の定電流通路セット中の対応する一つの定電流ロジック部品の第２端子に接続される。ここで、１≦ｉ≦Ｎであって、ｉは自然数で、赤色ランプ、緑色ランプ、青色ランプはそれぞれＲ/Ｇ/Ｂ原色発光ダイオードであることができる。
【００６５】
そして、ＬＥＤ表示パネル１０（ＬＥＤセルとも呼ばれる）はＭ行*Ｎ列のＬＥＤ粒子の行列排列を含み、単一行ＬＥＤ粒子の陽極は互いに接続されて第ｉノードに接続されて、各ノードを表示駆動回路３０におけるスイッチ回路３１中の一つのＰ−ＭＯＳトランジスタのドレインに対応する出力リードに接続し、単一列ＬＥＤ粒子中の同一原色の陰極は互いに接続されて表示駆動回路３０の第１の定電流通路セットの定電流ロジック部品の入力端子に接続され、即ち、単一列ＬＥＤ粒子中のＲ原色発光ダイオードの共通陰極は互いに接続されて表示駆動回路３０の第２の定電流通路セットの定電流ロジック部品の入力端子に接続され、単一列ＬＥＤ粒子中のＧ原色発光ダイオードの共通陰極は互いに接続されて表示駆動回路３０の定電流通路セットの定電流ロジック部品の入力端子に接続され、単一列ＬＥＤ粒子中のＢ原色発光ダイオードの共通陰極は互いに接続されて表示駆動回路３０の第３の定電流通路セットの定電流ロジック部品の入力端子に接続される。
【００６６】
当該実施例において、表示駆動回路３０の給電制御回路３５１は給電制御ポートを介してサブスイッチ回路３１中のいずれか一つのＰ−ＭＯＳトランジスタを制御してオン状態にしてＬＥＤ表示パネル１０上の対応する行中のＬＥＤ粒子の陽極に給電し、駆動制御回路３５３はそれぞれ、第１のＲ表示制御サブポート/第１のＧ表示制御サブポート/第１のＢ表示制御サブポートを介して、Ｒ表示制御信号/Ｇ表示制御信号/Ｂ表示制御信号を第１の定電流通路セット/第２の定電流通路セット/第３の定電流通路セット中の各定電流ロジック部品に送信し、以それぞれ、三つの定電流通路セット中の各定電流ロジック部品を制御してオンされた動作状態にして、対応する列のＬＥＤ粒子のＲ原色陰極、Ｇ原色陰極、Ｂ原色陰極に電流通路を提供し、ＬＥＤの順序表示を実現する。ここで、対応する列のＬＥＤ粒子のＲ原色陰極、Ｇ原色陰極、Ｂ原色陰極はそれぞれ、対応する列のＬＥＤ粒子の赤色ランプ、緑色ランプ、青色ランプの陰極である。ここで、サブスイッチ回路はＰ−ＭＯＳ通路とも呼ばれる。
【００６７】
実施例１の第３の変形実施形態の技術案に基づいて、以下のような変形実施形態も可能である。
電界効果トランジスタはＰ−ＭＯＳトランジスタであることもでき、ＬＥＤ表示パネル１０はＭ行Ｎ列個のＬＥＤ粒子を含むことができ、各ＬＥＤ粒子はそれぞれ、赤色ランプ、緑色ランプ、青色ランプを含み、ここで、各行の各ＬＥＤ粒子中の赤色ランプの陽極、緑色ランプの陽極、青色ランプの陽極は並列接続され、それぞれ、スイッチ回路３１中の対応する一つのＰ−ＭＯＳトランジスタのドレインに接続され、各列の各ＬＥＤ粒子の赤色ランプの陰極はそれぞれ並列接続され、それぞれ、第１の定電流通路セット中の対応する一つの定電流ロジック部品の第２端子に接続され、各列の各ＬＥＤ粒子の緑色ランプの陰極はそれぞれ並列接続され、それぞれ、第２の定電流通路セット中の対応する一つの定電流ロジック部品の第２端子に接続され、各列の各ＬＥＤ粒子の青色ランプの陰極はそれぞれ並列接続され、それぞれ、第３の定電流通路セット中の対応する一つの定電流ロジック部品の第２端子に接続される。
【００６８】
具体的に、ＬＥＤ表示パネル１０中の単一行ＬＥＤ粒子の陽極は互いに接続されて表示駆動回路３０におけるスイッチ回路３１中の一つのＰ−ＭＯＳトランジスタのドレインに対応する出力リードに接続され、単一列ＬＥＤ粒子中の同一原色の陰極は互いに接続されて表示駆動回路３０の第１の定電流通路セットの定電流ロジック部品の入力端子に接続され、即ち、単一列ＬＥＤ粒子中のＲ原色発光ダイオードの共通陰極は互いに接続されて表示駆動回路３０の第２の定電流通路セットの定電流ロジック部品の入力端子に接続され、単一列ＬＥＤ粒子中のＧ原色発光ダイオードの共通陰極は互いに接続されて表示駆動回路３０の定電流通路セットの定電流ロジック部品の入力端子に接続され、単一列ＬＥＤ粒子中のＢ原色発光ダイオードの共通陰極は互いに接続されて表示駆動回路３０の第３の定電流通路セットの定電流ロジック部品の入力端子に接続される。
【００６９】
当該実施形態において、実施例１の第３の変形実施形態の技術案に示す表示駆動回路３０の制御形態と同一であって、同様に、給電制御回路３５１が給電制御ポートを介してスイッチ回路３１（即ち、Ｐ−ＭＯＳ通路セット）中のいずれのＰ−ＭＯＳトランジスタを制御してオン状態にして、ＬＥＤ表示パネル１０上の対応する行中のＬＥＤ粒子の陽極に給電し、駆動制御回路３５３はそれぞれ、第１のＲ表示制御サブポート/第１のＧ表示制御サブポート/第１のＢ表示制御サブポートを介して、Ｒ表示制御信号/Ｇ表示制御信号/Ｂ表示制御信号を第１の定電流通路セット/第２の定電流通路セット/第３の定電流通路セット中の各定電流ロジック部品に送信して、それぞれ三つの定電流通路セット中の各定電流ロジック部品を制御してオンされた動作状態にして、対応する列のＬＥＤ粒子のＲ原色陰極、Ｇ原色陰極、Ｂ原色陰極に電流通路を提供し、ＬＥＤの順序表示を実現する。ここで、対応する列のＬＥＤ粒子のＲ原色陰極、Ｇ原色陰極、Ｂ原色陰極はそれぞれ、対応する列のＬＥＤ粒子の赤色ランプ、緑色ランプ、青色ランプの陰極である。
【００７０】
実施例２：
図６ａ〜６ｃは、本発明の実施例２に係わるＬＥＤディスプレイの構造を示す図である。図６ａに示すように、当該ＬＥＤディスプレイ中の電界効果トランジスタはＮ−ＭＯＳトランジスタであることができ、ＬＥＤ表示パネル１０はＭ行Ｎ列個のＬＥＤ粒子を含むことができ、各ＬＥＤ粒子はそれぞれ、赤色ランプ、緑色ランプ、青色ランプを含み、ここで、各行の第ｉ個のＬＥＤ粒子中の赤色ランプの陰極、緑色ランプの陰極、青色ランプの陰極は第ｉノードに並列接続され、それぞれ、スイッチ回路３１中の対応する一つのＮ−ＭＯＳトランジスタのドレインに接続され、各行の各ノードは並列接続され、各列の各ＬＥＤ粒子の赤色ランプの陽極はそれぞれ並列接続されてＬＥＤ表示パネル１０の陽極の一つの接続端子としてそれぞれ、第１の定電流通路セット中の対応する一つの定電流ロジック部品の第２端子に接続され、各列の各ＬＥＤ粒子の緑色ランプの陽極はそれぞれ並列接続されてＬＥＤ表示パネル１０の陽極の一つの接続端子としてそれぞれ、第２の定電流通路セット中の対応する一つの定電流ロジック部品の第２端子に接続され、各列の各ＬＥＤ粒子の青色ランプの陽極はそれぞれ並列接続されてＬＥＤ表示パネル１０の陽極の一つの接続端子としてそれぞれ、第３の定電流通路セット中の対応する一つの定電流ロジック部品の第２端子に接続される。
【００７１】
具体的に、図６ａに示すように、Ｒ原色定電流通路セットは一つ又は複数の定電流ロジック部品を含むことができ、これらの定電流ロジック部品の第１端子（当該実施例においては入力端子である）は互いに接続されて表示駆動回路３０の外付けリードＶＣＣＲとして給電機器の電源端子に接続され、定電流ロジック部品の第２端子（即ち、出力端子）はＬＥＤ表示パネル１０中の対応する列のＬＥＤ粒子の赤色ランプの陽極（当該実施例においてはＲ原色陽極である）に接続され、定電流ロジック部品の第３端子（即ち、制御端子）は第１のＲ表示制御ポートに接続され、また、Ｇ原色定電流通路セットは一つ又は複数の定電流ロジック部品を含むことができ、これらの定電流ロジック部品の第１端子（当該実施例においては入力端子である）は互いに接続されて表示駆動回路３０の外付けリードＶＣＣＧとして給電機器の電源端子に接続され、定電流ロジック部品の第２端子（即ち、出力端子）はＬＥＤ表示パネル１０中の対応する列のＬＥＤ粒子の緑色ランプの陽極（当該実施例においてはＧ原色陽極である）に接続され、定電流ロジック部品の第３端子（即ち、制御端子）は第１のＧ表示制御ポートに接続され、また、Ｂ原色定電流通路セットは一つ又は複数の定電流ロジック部品を含むことができ、これらの定電流ロジック部品の第１端子（当該実施例においては入力端子である）は互いに接続されて表示駆動回路３０の外付けリードＶＣＣＢとして給電機器の電源端子に接続され、定電流ロジック部品の第２端子（即ち、出力端子）はＬＥＤ表示パネル１０中の対応する列のＬＥＤ粒子の青色ランプの陽極（当該実施例においてはＢ原色陽極である）に接続され、定電流ロジック部品の第３端子（即ち、制御端子）は第１のＢ表示制御ポートに接続される。
【００７２】
図６ｃに示すＬＥＤ粒子は、図６ｂ中の点線に囲まれた部分Ｅ１の一部拡大図であり、４本足は公共陰極で、２/３/４はそれぞれＢ/Ｇ/Ｒ三原色発光ダイオードの陽極である。
ここで、当該実施例において、表示駆動回路３０の外付けリードＶＣＣＲの給電電圧が外付けリードＶＣＣＧ/ＶＣＣＢの給電電圧より低いことができ、具体的に、ＶＣＣＲの給電電圧は１.６Ｖであることができ、当該電圧値は、緑色ランプ、青色ランプの動作電圧（３.４〜３.６Ｖ）から赤色ランプの動作電圧（１.８〜２Ｖ）を引いて得られるもので、Ｒ/Ｇ/Ｂ原色発光ダイオードの給電電圧を差別化して制御することによって、ＬＥＤディスプレイの消費電力を低減する。
【００７３】
実施例２において、ＬＥＤ表示パネル１０（ＬＥＤセル、ＬＥＤセルプレートとも呼ばれる）はＭ行*Ｎ列のＬＥＤ粒子の行列排列を含み、単一行のＬＥＤ粒子の陰極は互いに接続されて第ｉノードに接続されて、各ノードを表示駆動回路３０におけるスイッチ回路３１中の一つのＮ−ＭＯＳトランジスタのドレインに対応する出力リードに接続され、単一列のＬＥＤ粒子中の同一原色の陽極は互いに接続されて表示駆動回路３０の第１の定電流通路セットの定電流ロジック部品の入力端子に接続され、即ち、単一列のＬＥＤ粒子中のＲ原色発光ダイオードの共通陽極は互いに接続されて表示駆動回路３０の第２の定電流通路セットの定電流ロジック部品の入力端子に接続され、単一列のＬＥＤ粒子中のＧ原色発光ダイオードの共通陽極は互いに接続されて表示駆動回路３０の定電流通路セットの定電流ロジック部品の入力端子に接続され、単一列のＬＥＤ粒子中のＢ原色発光ダイオードの共通陽極は互いに接続されて表示駆動回路３０の第３の定電流通路セットの定電流ロジック部品の入力端子に接続される。表示駆動回路３０の制御を受けて、給電制御回路３５１は給電制御ポートを介してサブスイッチ回路３１（当該サブスイッチ回路３１がＮ−ＭＯＳ通路セットであることもできる）中のいずれのＮ−ＭＯＳトランジスタを制御してオン状態にして、ＬＥＤ表示パネル１０上の対応する行中のＬＥＤ粒子の陽極に給電し、駆動制御回路３５３はそれぞれ、第１のＲ表示制御サブポート/第１のＧ表示制御サブポート/第１のＢ表示制御サブポートを介して、Ｒ表示制御信号/Ｇ表示制御信号/Ｂ表示制御信号を第１の定電流通路セット/第２の定電流通路セット/第３の定電流通路セット中の各定電流ロジック部品に送信して、それぞれ三つの定電流通路セット中の各定電流ロジック部品を制御してオンされた動作状態にすることで、対応する列のＬＥＤ粒子のＲ原色陽極、Ｇ原色陽極、Ｂ原色陽極に電流通路を提供し、ＬＥＤの順序表示を実現する。ここで、対応する列のＬＥＤ粒子のＲ原色陽極、Ｇ原色陽極、Ｂ原色陽極はそれぞれ、対応する列のＬＥＤ粒子の赤色ランプ、緑色ランプ、青色ランプの陽極である。
【００７４】
実施例３と４：
図７ａ〜図７ｅは、本発明の実施例３に係わるＬＥＤディスプレイの構造を示す図であって、図８ａ〜図８ｃは、本発明の実施例４に係わるＬＥＤディスプレイの構造を示す図である。図７ｂと図８ｂはそれぞれ、２種類の実施形態中の図７ａ中の点線で囲まれたＦと図８ａ中の点線で囲まれたＨの一部拡大図であって、図７ｃ中のＬＥＤ粒子中の三原色発光ダイオードは直接に当該ＬＥＤ粒子に集積され、図８ｃ中のＬＥＤ粒子中の三原色発光ダイオードはそれぞれ、カプセル化されて当該ＬＥＤ粒子に集積され、その以外、２種類の実施形態の回路の接続関係は同一であることができる。ここで、図７ｃ中の各ＬＥＤ粒子の陽極は１、２、３の三つのリードを具備し、内部のＲ/Ｇ/Ｂ原色発光ダイオードの陽極に対応し、陰極は４、５、６の三つのリードを具備し、内部のＢ/Ｇ/Ｒ原色発光ダイオードの陰極に対応し、また、図８ｃに示すように、Ｒ/Ｇ/Ｂ原色発光ダイオードの陽極はリード１で、陰極はリード２で、Ｒ/Ｇ/Ｂ原色ダイオードは並列に熔接されて一つのＬＥＤ粒子（即ち、フルカラーピクセル）として用いられる。
【００７５】
具体的に、図７ｅと図８ａに示すように、電界効果トランジスタはＮ−ＭＯＳトランジスタであることもでき、ＬＥＤ表示パネル１０はＭ行Ｎ列個のＬＥＤ粒子を含み、各ＬＥＤ粒子はそれぞれ、赤色ランプ、緑色ランプ、青色ランプを含み、各行の各ＬＥＤ粒子中の赤色ランプの陰極、緑色ランプの陰極、青色ランプの陰極は並列接続され、それぞれ、スイッチ回路３１中の対応する一つのＮ−ＭＯＳトランジスタのドレインに接続され、各列の各ＬＥＤ粒子の赤色ランプの陽極はそれぞれ並列接続され、それぞれ、第１の定電流通路セット中の対応する一つの定電流ロジック部品の第２端子に接続され、各列の各ＬＥＤ粒子の緑色ランプの陽極はそれぞれ並列接続され、それぞれ、第２の定電流通路セット中の対応する一つの定電流ロジック部品の第２端子に接続され、各列の各ＬＥＤ粒子の青色ランプの陽極はそれぞれ並列接続され、それぞれ、第３の定電流通路セット中の対応する一つの定電流ロジック部品の第２端子に接続される。
【００７６】
実施例３と４において、ＬＥＤ表示パネル１０中の単一行のＬＥＤ粒子の陽極は互いに接続されて表示駆動回路３０におけるスイッチ回路３１中の一つのＮ−ＭＯＳトランジスタのドレインに対応する出力リードに接続され、単一行のＬＥＤ粒子の陰極は互いに接続されて第ｉノードに接続されて、各ノードを表示駆動回路３０におけるスイッチ回路３１中の一つのＮ−ＭＯＳトランジスタのドレイン対応する出力リードに接続し、単一列のＬＥＤ粒子中の同一原色の陽極が互いに接続されて表示駆動回路３０の第１の定電流通路セットの定電流ロジック部品の入力端子に接続され、即ち、単一列ＬＥＤ粒子中のＲ原色発光ダイオードの共通陽極は互いに接続されて表示駆動回路３０の第２の定電流通路セットの定電流ロジック部品の入力端子に接続され、単一列のＬＥＤ粒子中のＧ原色発光ダイオードの共通陽極は互いに接続されて表示駆動回路３０の定電流通路セットの定電流ロジック部品の入力端子に接続され、単一列のＬＥＤ粒子中のＢ原色発光ダイオードの共通陽極は互いに接続されて表示駆動回路３０の第３の定電流通路セットの定電流ロジック部品の入力端子に接続される。
【００７７】
実施例３又は実施例４の技術案に基づいて、以下のような第１種変形実施形態が可能である。
当該実施形態において、スイッチ回路３１は第１のサブスイッチ回路と第２のサブスイッチ回路とを含み、第１のサブスイッチ回路と第２のサブスイッチ回路はそれぞれ一つ又は複数の電界効果トランジスタを含み、且つ、第１のサブスイッチ回路と第２のサブスイッチ回路中の各電界効果トランジスタのソースは全てそれぞれ、給電機器の電源端子又はアース端子に接続され、第１のサブスイッチ回路中の各電界効果トランジスタのドレインはそれぞれ、ＬＥＤ表示パネルにおける対応する行中の各ＬＥＤ粒子中の赤色ランプの陽極又は陰極に接続され、各電界効果トランジスタのゲートはそれぞれ、給電制御ポート中の対応する接続端子に接続されてＬＥＤ表示パネルの赤色ランプへの給電を制御し、第２のサブスイッチ回路中の各電界効果トランジスタのドレインはそれぞれ、ＬＥＤ表示パネルにおける対応する行中の各ＬＥＤ粒子中の緑色ランプと青色ランプの陽極又は陰極に接続され、各電界効果トランジスタのゲートはそれぞれ、給電制御ポート中の対応する接続端子に接続されてＬＥＤ表示パネルの緑色ランプと青色ランプへの給電を制御する。
【００７８】
当該実施形態において、駆動回路３３は一つの定電流通路セットを含むことができ、定電流通路セットは一つ又は複数の定電流ロジック部品を含むことができ、各定電流ロジック部品の第１端子はそれぞれ、給電機器の電源端子又はアース端子に接続され、各定電流ロジック部品の第２端子はそれぞれ、ＬＥＤ表示パネル１０中の対応する列のＬＥＤ粒子の陽極又は陰極に接続され、各定電流ロジック部品の第３端子はそれぞれ、駆動制御ポート中の対応する接続端子に接続される。
【００７９】
そして、当該実施例において、給電制御回路３５１は第１のサブスイッチ回路中の一つの電界効果トランジスタのオンを制御して、第１のサブスイッチ回路中の電界効果トランジスタに対応するＬＥＤ表示パネル１０の行中のＬＥＤ粒子中の赤色ランプへ給電し、また、給電制御回路３５１はさらに、第２のサブスイッチ回路中の第１のサブスイッチ回路中の一つの電界効果トランジスタに対応する電界効果トランジスタのオンを制御して、第１のサブスイッチ回路中の電界効果トランジスタに対応するＬＥＤ表示パネル１０の行中のＬＥＤ粒子中の緑色ランプと青色ランプへ給電し、また、駆動制御回路３５３は定電流通路セット中の各定電流ロジック部品のオンを制御し、各定電流ロジック部品がオンされた後、それぞれ、定電流ロジック部品に対応するＬＥＤ表示パネル１０の列のＬＥＤ粒子に電流通路を提供して、電界効果トランジスタに対応するＬＥＤ表示パネル１０の行中のＬＥＤ粒子の順序表示を実現する。
【００８０】
スイッチ回路３１、駆動回路３３と制御回路３５を表示駆動回路３０に集積することによって、元のＬＥＤ表示パネル１０の面積が不変である状況下、更に多い表示駆動回路３０を配置することができ、面積が一定であるＬＥＤディスプレイにおいて、ＬＥＤ粒子と表示駆動回路３０との数量の比を低減し、リフレッシュレートを向上させることができる。
【００８１】
当該実施例において、表示駆動回路３０の電界効果トランジスタはＰ−ＭＯＳトランジスタであることができ、ＬＥＤ表示パネル１０はＭ行Ｎ列個のＬＥＤ粒子を含むことができ、各ＬＥＤ粒子はそれぞれ、赤色ランプ、緑色ランプ、青色ランプを含み、各行の第ｉ個のＬＥＤ粒子中の赤色ランプの陽極は第ｉノードに並列接続され、それぞれ、第１のサブスイッチ回路３１中の対応する一つのＰ−ＭＯＳトランジスタのドレインに接続され、各行の各ノードは並列接続され、各行の第ｊ個のＬＥＤ粒子の緑色ランプの陽極と青色ランプの陽極は第ｊノードに並列接続され、第２のサブスイッチ回路３１中の対応する一つのＰ−ＭＯＳトランジスタのドレインに接続され、各行の各ノードは並列接続され、各列の各ＬＥＤ粒子の赤色ランプの陰極はそれぞれ並列接続され、それぞれ、定電流通路セット中の対応する一つの定電流ロジック部品の第２端子に接続され、各列の各ＬＥＤ粒子の緑色ランプの陰極はそれぞれ並列接続され、それぞれ、定電流通路セット中の対応する一つの定電流ロジック部品の第２端子に接続され、各列の各ＬＥＤ粒子の青色ランプの陰極はそれぞれ並列接続され、それぞれ、定電流通路セット中の対応する一つの定電流ロジック部品の第２端子に接続される。ここで、１≦ｉ≦Ｎで、１≦ｊ≦Ｎであって、ｉとｊはいずれも自然数で、赤色ランプ、緑色ランプ、青色ランプはそれぞれＲ/Ｇ/Ｂ原色発光ダイオードであることができる。
【００８２】
当該実施形態において、表示駆動回路３０に第１のサブスイッチ回路と第２のサブスイッチ回路が集積され、二つのサブスイッチ回路がそれぞれ、一つ又は複数のＰ−ＭＯＳトランジスタを含み、第１のサブスイッチ回路のＰ−ＭＯＳトランジスタのソースは互いに接続されて表示駆動回路３０の外付けリードＶＣＣＢとし給電機器の電源端子の一つの接続端子に接続され、ゲートは給電制御ポートの赤色給電制御信号に接続され、ドレインはＬＥＤ表示パネル１０の対応する行のＬＥＤ粒子の赤色ランプの陽極（即ち、対応する行のＬＥＤ粒子のＲ原色陽極）に接続され、また、第２のサブスイッチ回路のＰ−ＭＯＳトランジスタのソースは互いに接続されて表示駆動回路３０の外付けリードＶＣＣAとして給電機器の電源端子の一つの接続端子に接続され、ゲートは給電制御ポートの緑色と青色給電制御信号に接続され、ドレインはＬＥＤ表示パネル１０の対応する行のＬＥＤ粒子の緑色ランプと青色ランプの陽極（即ち、対応する行のＬＥＤ粒子のＧ原色陽極とＢ原色陽極）に接続される。
【００８３】
駆動回路３３は実施例１における駆動回路と同一であることができ、当該駆動回路３３は１セットの定電流通路セットを含むことができ、当該定電流通路セットは複数の定電流ロジック部品（定電流ロジック回路とも呼ばれる）を含むことができ、各定電流ロジック部品の第２端子（即ち、入力端子）はそれぞれ表示駆動回路３０の入力リード中の一つとして用いられ、全ての定電流ロジック部品の第１端子（即ち、出力端子）の内部は互いに接続されて、表示駆動回路３０のアース端子（即ち、ＧＮＤ端子）に接続され、定電流ロジック部品の第３端子（即ち、制御端子）は制御回路３５の駆動制御ポートに接続されて駆動回路３３の定電流制御信号を受信する。
【００８４】
当該実施形態において、ＬＥＤ表示パネル１０中の各行の第ｉ個のＬＥＤ粒子中の赤色ランプの陽極は第ｉノードに並列接続され、それぞれ、第１のサブスイッチ回路３１中の対応する一つのＰ−ＭＯＳトランジスタのドレインに接続され、各行の各ノードは並列接続され、各行の第ｊ個のＬＥＤ粒子中の緑色ランプの陽極と青色ランプの陽極は第ｊノードに並列接続され、それぞれ、第２のサブスイッチ回路３１中の対応する一つのＰ−ＭＯＳトランジスタのドレインに接続され、各行の各ノードは並列接続され、単一列のＬＥＤ粒子中の同一原色の陰極は互いに接続されて表示駆動回路３０の定電流通路セットの定電流ロジック部品の入力端子に接続され、即ち、単一列のＬＥＤ粒子中の赤色ランプ（即ち、Ｒ原色表示セル）の共通陰極は互いに接続されて表示駆動回路３０の定電流通路セットの定電流ロジック部品の入力端子に接続され、単一列のＬＥＤ粒子中の緑色ランプ（即ち、Ｇ原色表示セル）の共通陰極は互いに接続されて表示駆動回路３０の定電流通路セットの定電流ロジック部品の入力端子に接続され、単一列のＬＥＤ粒子中の青色ランプ（即ち、Ｂ原色表示セル）の共通陰極は互いに接続されて表示駆動回路３０の定電流通路セットの定電流ロジック部品の入力端子に接続される。
【００８５】
上記実施形態において、第１のサブスイッチ回路と第２のサブスイッチ回路の給電電圧は異なることができ、ＶＣＣＢ給電電圧は１.６Ｖであることが好ましく、当該給電電圧はリードＶＣＣAの給電電圧より低いことができ、当該１.６Ｖの電圧値は、緑色発光ダイオード、青色発光ダイオードの典型的な動作電圧（３.４〜３.６Ｖ）から赤色発光ダイオードの典型的な動作電圧（１.８〜２Ｖ）を引いたもので、これにより、Ｒ/Ｇ/Ｂ原色発光ダイオードの給電電圧を差別化して制御することで、ＬＥＤディスプレイの消費電力を低減することができる。
【００８６】
当該実施形態において、表示駆動回路３０の給電制御回路３５１は、給電制御ポートを介してそれぞれ、第１のサブスイッチ回路と第２のサブスイッチ回路中の対応する同一行の対応するＰ−ＭＯＳトランジスタを制御してオン状態にして、それぞれＬＥＤ表示パネル１０上の対応する行中のＬＥＤ粒子のＲ原色発光ダイオードとＧ/Ｂ原色発光ダイオードの陽極へ給電し、駆動制御回路３５３はそれぞれ、第１のＲ表示制御サブポート/第１のＧ表示制御サブポート/第１のＢ表示制御サブポートを介してＲ表示制御信号/Ｇ表示制御信号/Ｂ表示制御信号を第１の定電流通路セット/第２の定電流通路セット/第３の定電流通路セット中の各定電流ロジック部品に出力して、それぞれ三つの定電流通路セット中の各定電流ロジック部品を制御してオンされた動作状態にして、対応する列のＬＥＤ粒子のＲ原色陰極、Ｇ原色陰極、Ｂ原色陰極に電流通路を提供し、ＬＥＤの順序表示を実現する。
【００８７】
実施例３又は実施例４の第１種の変形実施形態の技術案に基づいて、以下のような変形形態が可能である。
ＬＥＤ表示パネル１０を以下の実施形態で実現することもできる：電界効果トランジスタはＰ−ＭＯＳトランジスタであることができ、ＬＥＤ表示パネル１０はＭ行Ｎ列個のＬＥＤ粒子を含むことができ、各ＬＥＤ粒子はそれぞれ、赤色ランプ、緑色ランプ、青色ランプを含み、ここで、各行の各ＬＥＤ粒子中の赤色ランプの陰極は並列接続され、それぞれ、第１のサブスイッチ回路中の対応する一つのＰ−ＭＯＳトランジスタのドレインに接続され、各行の各ＬＥＤ粒子中の緑色ランプの陽極と青色ランプの陽極は並列接続され、それぞれ、第２のサブスイッチ回路中の対応する一つのＰ−ＭＯＳトランジスタのドレインに接続され、各列の各ＬＥＤ粒子の赤色ランプの陰極はそれぞれ並列接続され、それぞれ、定電流通路セット中の対応する一つの定電流ロジック部品の第２端子に接続され、各列の各ＬＥＤ粒子の緑色ランプの陰極はそれぞれ並列接続され、それぞれ、定電流通路セット中の対応する一つの定電流ロジック部品の第２端子に接続され、各列の各ＬＥＤ粒子の青色ランプの陰極はそれぞれ並列接続され、それぞれ、定電流通路セット中の対応する一つの定電流ロジック部品の第２端子に接続される。
【００８８】
具体的に、ＬＥＤ表示パネル１０中の各行のＬＥＤ粒子中の赤色ランプの陽極は第１のサブスイッチ回路中の対応する一つのＰ−ＭＯＳトランジスタのドレインに並列接続され、各行のＬＥＤ粒子中の緑色ランプの陽極と青色ランプの陽極は第２のサブスイッチ回路中の対応する一つのＰ−ＭＯＳトランジスタのドレインに並列接続され、単一列のＬＥＤ粒子中の同一原色の陰極は定電流通路セットの定電流ロジック部品の入力端子に互いに接続され、即ち、単一列のＬＥＤ粒子中のＲ原色発光ダイオードの共通陰極は互いに接続されて表示駆動回路３０の定電流通路セットの定電流ロジック部品の入力端子に接続され、単一列のＬＥＤ粒子中のＧ原色発光ダイオードの共通陰極は互いに接続されて表示駆動回路３０の定電流通路セットの定電流ロジック部品の入力端子に接続され、単一列のＬＥＤ粒子中のＢ原色発光ダイオードの共通陰極は互いに接続されて表示駆動回路３０の定電流通路セットの定電流ロジック部品の入力端子に接続される。
【００８９】
実施例３又は実施例４の第１種の変形実施形態の技術案に基づいて、以下の２種の変形形態が可能である。
第１種について、電界効果トランジスタがＮ−ＭＯＳトランジスタであることができ、ＬＥＤ表示パネル１０はＭ行Ｎ列個のＬＥＤ粒子を含み、各ＬＥＤ粒子はそれぞれ、赤色ランプ、緑色ランプ、青色ランプを含み、ここで、各行の各ＬＥＤ粒子中の赤色ランプの陰極は並列接続され、それぞれ、第１のサブスイッチ回路中の対応する一つのＮ−ＭＯＳトランジスタのドレインに接続され、各行の各ＬＥＤ粒子中の緑色ランプの陰極と青色ランプの陰極は並列接続され、それぞれ、第２のサブスイッチ回路中の対応する一つのＮ−ＭＯＳトランジスタのドレインに接続され、各列の各ＬＥＤ粒子の赤色ランプの陽極はそれぞれ並列接続され、それぞれ、定電流通路セット中の対応する一つの定電流ロジック部品の第２端子に接続され、各列の各ＬＥＤ粒子の緑色ランプの陽極はそれぞれ並列接続され、それぞれ、定電流通路セット中の対応する一つの定電流ロジック部品の第２端子に接続され、各列の各ＬＥＤ粒子の青色ランプの陽極はそれぞれ並列接続され、それぞれ、定電流通路セット中の対応する一つの定電流ロジック部品の第２端子に接続される。
【００９０】
第２種について、電界効果トランジスタはＮ−ＭＯＳトランジスタであって、ＬＥＤ表示パネル１０はＭ行Ｎ列個のＬＥＤ粒子を含み、各ＬＥＤ粒子はそれぞれ、赤色ランプ、緑色ランプ、青色ランプを含み、ここで、各行の第ｉ個のＬＥＤ粒子中の赤色ランプの陰極は第ｉノードに並列接続され、それぞれ、第１のサブスイッチ回路３１中の対応する一つのＮ−ＭＯＳトランジスタのドレインに接続され、各行の各ノードは並列接続され、各行の第ｊ個ＬＥＤ粒子中の緑色ランプの陰極と青色ランプの陰極は第ｊノードに並列接続され、第２のサブスイッチ回路３１中の対応する一つのＮ−ＭＯＳトランジスタのドレインに接続され、各行の各ノードは並列接続されて、各列の各ＬＥＤ粒子の赤色ランプの陽極はそれぞれ並列接続され、それぞれ、定電流通路セット中の対応する一つの定電流ロジック部品の第２端子に接続され、各列の各ＬＥＤ粒子の緑色ランプの陽極はそれぞれ並列接続され、それぞれ、定電流通路セット中の対応する一つの定電流ロジック部品の第２端子に接続され、各列の各ＬＥＤ粒子の青色ランプの陽極はそれぞれ並列接続され、それぞれ、定電流通路セット中の対応する一つの定電流ロジック部品の第２端子に接続される。
【００９１】
当該実施例において、表示駆動回路３０に第１のサブスイッチ回路と第２のサブスイッチ回路が集積され、二つのサブスイッチ回路３１がそれぞれ一つ又は複数のＮ−ＭＯＳトランジスタを含み、第１のサブスイッチ回路のＮ−ＭＯＳトランジスタのソースは互いに接続されて表示駆動回路３０の外付けリードＧＮＤとして給電機器の電源端子の一つの接続端子に接続され、ゲートは給電制御ポートの赤色給電制御信号に接続され、ドレインはＬＥＤ表示パネル１０の対応する行のＬＥＤ粒子の赤色ランプの陽極（即ち、対応する行のＬＥＤ粒子のＲ原色陽極）に接続され、また、第２のサブスイッチ回路のＮ−ＭＯＳトランジスタのソースは互いに接続されて表示駆動回路３０の外付けリードＧＮＤとして給電機器の電源端子の一つの接続端子に接続され、ゲートは給電制御ポートの緑色と青色給電制御信号に接続され、ドレインはＬＥＤ表示パネル１０の対応する行のＬＥＤ粒子の緑色ランプと青色ランプの陽極（即ち、対応する行のＬＥＤ粒子のＧ原色陽極とＢ原色陽極）に接続される。
【００９２】
駆動回路３３は実施例１中の駆動回路３３と同一であることができ、当該駆動回路３３は１セットの定電流通路セットを含むことができ、当該定電流通路セットは複数の定電流ロジック部品（定電流ロジック回路とも呼ばれる）を含み、各定電流ロジック部品の第２端子（即ち、入力端子）はそれぞれ表示駆動回路３０の入力リード中の一つとして用いられ、全ての定電流ロジック部品の第１端子（即ち、出力端子）の内部は互いに接続されて表示駆動回路３０のＶＣＣ端子として給電機器の電源端子に接続され、定電流ロジック部品の第３端子（即ち、制御端子）は制御回路３５の駆動制御ポートに接続されて駆動回路３３の定電流制御信号を受信する。
【００９３】
具体的に、当該変形形態中の第１種の実施形態において、各行の第ｉ個のＬＥＤ粒子中の赤色ランプの陰極は第ｉノードに並列接続され、それぞれ、第１のサブスイッチ回路中の対応する一つのＮ−ＭＯＳトランジスタのドレインに接続され、各行の各ノードは並列接続され、各行の第ｊ個のＬＥＤ粒子中の緑色ランプの陰極と青色ランプの陰極は第ｊノードに並列接続され、第２のサブスイッチ回路中の対応する一つのＮ−ＭＯＳトランジスタのドレインに接続され、各行の各ノードは並列接続されて、単一列のＬＥＤ粒子中のＲ原色発光ダイオードの共通陽極は互いに接続されて定電流通路セットの定電流ロジック部品の入力端子に接続され、単一列のＬＥＤ粒子中のＧ原色発光ダイオードの共通陽極は互いに接続されて定電流通路セットの定電流ロジック部品の入力端子に接続され、単一列のＬＥＤ粒子中のＢ原色発光ダイオードの共通陽極は互いに接続されて定電流通路セットの定電流ロジック部品の入力端子に接続される。
【００９４】
第２種の実施形態において、各行の各ＬＥＤ粒子中の赤色ランプの陰極の内部は互いに接続されてそれぞれ、第１のサブスイッチ回路中の対応する一つのＮ−ＭＯＳトランジスタのドレインに接続され、各行の各ＬＥＤ粒子中の緑色と青色ランプの陰極は互いに接続されてそれぞれ、第２のサブスイッチ回路中の対応する一つのＮ−ＭＯＳトランジスタのドレインに接続され、単一列のＬＥＤ粒子中のＲ原色発光ダイオードの共通陽極は互いに接続されて表示駆動回路３０の定電流通路セットの定電流ロジック部品の入力端子に接続され、単一列のＬＥＤ粒子中のＧ原色発光ダイオードの共通陽極は互いに接続されて定電流通路セットの定電流ロジック部品の入力端子に接続され、単一列のＬＥＤ粒子中のＢ原色発光ダイオードの共通陽極は互いに接続されて定電流通路セットの定電流ロジック部品の入力端子に接続される。
【００９５】
実施例５と実施例６：
具体的に、表示駆動回路３０のスイッチ回路３１は第１のサブスイッチ回路と第２のサブスイッチ回路を含み、駆動回路３３は第１の定電流通路セットと、第２の定電流通路セットと、第３の定電流通路セットとを含み、ここで、第１のサブスイッチ回路と第２のサブスイッチ回路の構造は実施例１の第１種の実施形態中のサブスイッチ回路と同一であることができ、また、第１の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＲ表示制御サブポートに接続され、各定電流ロジック部品の第２端子はそれぞれ、ＬＥＤ表示パネル１０中の対応する列の各ＬＥＤ粒子中の赤色ランプの陽極又は陰極に接続されてＬＥＤ表示パネル１０の赤色ランプの表示を制御し、また、第２の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＧ表示制御サブポートに接続され、各定電流ロジック部品の第２端子はそれぞれ、ＬＥＤ表示パネル１０中の対応する列の各ＬＥＤ粒子中の緑色ランプの陽極又は陰極に接続されてＬＥＤ表示パネル１０の緑色ランプの表示を制御し、また、第３の定電流通路セットは一つ又は複数の定電流ロジック部品を含み、各定電流ロジック部品の第１端子はそれぞれ、給電機器の電源端子又はアース端子に接続され、各定電流ロジック部品の第３端子はそれぞれ、駆動制御ポートの第１のＢ表示制御サブポートに接続され、各定電流ロジック部品の第２端子はそれぞれ、ＬＥＤ表示パネル１０中の対応する列の各ＬＥＤ粒子中の青色ランプの陽極又は陰極に接続されてＬＥＤ表示パネル１０の青色ランプの表示を制御する。ここで、第１の定電流通路セットがＲ原色定電流通路セットで、第２の定電流通路セットがＧ原色定電流通路セットで、第３の定電流通路セットがＢ原色定電流通路セットであることができる。
【００９６】
具体的に、制御回路３５中の給電制御回路３５１は第１のサブスイッチ回路中の一つの電界効果トランジスタのオンを制御して、第１のサブスイッチ回路中の電界効果トランジスタに対応するＬＥＤ表示パネル１０の行中のＬＥＤ粒子中の赤色ランプへ給電し、給電制御回路３５１はさらに、第２のサブスイッチ回路中の第１のサブスイッチ回路中の各電界効果トランジスタに対応する電界効果トランジスタのオンを制御して、第１のサブスイッチ回路中の電界効果トランジスタに対応するＬＥＤ表示パネル１０の行中のＬＥＤ粒子中の緑色ランプと青色ランプへ給電し、駆動制御回路３５３は第１のＲ表示制御サブポートを介して第１の定電流通路セット中の各定電流ロジック部品のオンを制御し、各定電流ロジック部品がオンされた後、それぞれ定電流ロジック部品に対応するＬＥＤ表示パネル１０の列のＬＥＤ粒子中の赤色ランプに電流通路を提供して、電界効果トランジスタに対応するＬＥＤ表示パネル１０の行中のＬＥＤ粒子の赤色ランプの表示を制御し、駆動制御回路３５３はさらに、第１のＧ表示制御サブポートを介して第２の定電流通路セット中の各定電流ロジック部品のオンを制御し、各定電流ロジック部品がオンされた後、それぞれ定電流ロジック部品に対応するＬＥＤ表示パネル１０の列のＬＥＤ粒子中の緑色ランプに電流通路を提供して、電界効果トランジスタに対応するＬＥＤ表示パネル１０の行中のＬＥＤ粒子の緑色ランプの表示を制御し、駆動制御回路３５３はさらに、第１のＢ表示制御サブポートを介して第３の定電流通路セット中の各定電流ロジック部品のオンを制御し、各定電流ロジック部品がオンされた後、それぞれ定電流ロジック部品に対応するＬＥＤ表示パネル１０の列のＬＥＤ粒子中の青色ランプに電流通路を提供して、電界効果トランジスタに対応するＬＥＤ表示パネル１０の行中のＬＥＤ粒子の青色ランプの表示を制御する。
【００９７】
ここで、上記実施例中の３セットの定電流通路セットはそれぞれ、ＬＥＤ表示パネル１０の赤色ランプ、緑色ランプ、青色ランプ（Ｒ/Ｇ/Ｂ三原色発光ダイオードであることができる）の定電流表示を制御し、スイッチ回路３１中の第１のサブスイッチ回路３１と第２のサブスイッチ回路３１（二つのサブスイッチ回路３１がそれぞれ１セットのＰ−ＭＯＳトランジスタからなる通路であることができ、Ｐ−ＭＯＳ通路と略称）はそれぞれ、ＬＥＤ表示パネル１０上のＲ/Ｇ/Ｂ三原色ダイオードの給電を制御し、また、表示駆動回路３０中の給電制御回路３５１と駆動制御回路３５３はそれぞれ、スイッチ回路３１と駆動回路３３の動作状態を制御する。
【００９８】
対応に、給電制御ポートは第１の給電制御ポートと第２の給電制御ポートとを含み、第１の給電制御ポートは第１のサブスイッチ回路（即ち、図９ａに示すＶＣＣＢ給電のＰ−ＭＯＳ通路セット）に第１の給電制御信号を送信するに用いられ、第２の給電制御ポートは第２のサブスイッチ回路（即ち、ＶＣＣA給電のＰ−ＭＯＳ通路セット）に第２の給電制御信号を送信するに用いられ、また、駆動制御ポートは第２のＲ/Ｇ/Ｂ表示制御サブポートを含み、それぞれ、Ｒ/Ｇ/Ｂ原色定電流通路セットに第２のＲ/Ｇ/Ｂ表示制御信号を送信する。
【００９９】
図９ａ〜図９ｃは本発明の実施例７に係わるＬＥＤディスプレイの構造を示す図であり、図１０ａ〜図１０ｅは本発明の実施例７に係わるＬＥＤディスプレイの構造を示す図である。図９ｂと１０ｂに示すように、それぞれは２種類の実施形態の図９ａ中の点線に囲まれたＩと図１０ａ中の点線に囲まれたＪの一部拡大図であって、図９ｃ中のＬＥＤ粒子中の三原色発光ダイオードは直接に当該ＬＥＤ粒子に集積され、図１０ｃ中のＬＥＤ粒子中の三原色発光ダイオードはそれぞれ、カプセル化されてから当該ＬＥＤ粒子に集積され、それ以外は、２種の実施形態の回路接続関係は同一であることができる。図９ｃと図９ｂ中の各ＬＥＤ粒子の陽極は１、２、３の三つのリードを有し、内部のＲ/Ｇ/Ｂ原色発光ダイオードの陽極に対応し、陰極は４、５、６の三つのリードを有し、それぞれ内部のＢ/Ｇ/Ｒ原色発光ダイオードの陰極に対応し、また、図１０ｃに示すように、Ｒ/Ｇ/Ｂ原色発光ダイオードの陽極はリード１で、陰極はリード２で、Ｒ/Ｇ/Ｂ原色ダイオードは並列に熔接されて一つのＬＥＤ粒子（即ち、フルカラーピクセル）として用いられる。
【０１００】
具体的に、表示駆動回路３０に３セットの定電流通路セットが集積されていて、それぞれＬＥＤ表示パネル１０上のＲ/Ｇ/Ｂ三原色ダイオードの定電流表示を制御し、２セットのＰ−ＭＯＳ通路が集積されて、それぞれＬＥＤセルプレート上のＲ/Ｇ/Ｂ三原色ダイオードへの給電を制御し、制御回路３５が集積されて定電流通路セット及びＰ−ＭＯＳ通路の連携作動を制御する。
【０１０１】
実施例５と実施例６において、図１０ｄに示すように、図１０ａ中の点線に囲まれたKの電界効果トランジスタはＰ−ＭＯＳトランジスタであることができ、図１０ｅは図１０ｄ中の点線に囲まれたＫ１のＰ−ＭＯＳトランジスタの構造を示し、ＬＥＤ表示パネル１０はＭ行Ｎ列個のＬＥＤ粒子を含み、各ＬＥＤ粒子はそれぞれ、赤色ランプ、緑色ランプ、青色ランプを含み、ここで、各行の各ＬＥＤ粒子中の赤色ランプの陽極は並列接続され、それぞれ、第１のサブスイッチ回路中の対応する一つのＰ−ＭＯＳトランジスタのドレインに接続され、各行の各ＬＥＤ粒子中の緑色ランプの陽極と青色ランプの陽極は並列接続されてＬＥＤ表示パネル１０の陽極の一つの接続端子として、第２のサブスイッチ回路中の対応する一つのＰ−ＭＯＳトランジスタのドレインに接続され、各列の各ＬＥＤ粒子の赤色ランプの陰極はそれぞれ並列接続され、それぞれ、第１の定電流通路セット中の対応する一つの定電流ロジック部品の第２端子に接続され、各列の各ＬＥＤ粒子の緑色ランプの陰極はそれぞれ並列接続され、それぞれ、第２の定電流通路セット中の対応する一つの定電流ロジック部品の第２端子に接続され、各列の各ＬＥＤ粒子の青色ランプの陰極はそれぞれ並列接続され、それぞれ、第３の定電流通路セット中の対応する一つの定電流ロジック部品の第２端子に接続される。
【０１０２】
第１のサブスイッチ回路は一つ又は複数のＰ−ＭＯＳトランジスタを含み、これらのＰ−ＭＯＳトランジスタのソースは表示駆動回路３０の外付けリードＶＣＣＢに互いに接続され、ゲートは第１の給電制御ポートに接続され、ドレインはＬＥＤ表示パネル１０の対応する行のＬＥＤ粒子のＲ原色陽極（図９ａにおいて、単一行のＬＥＤ粒子であるが、単一行のＬＥＤ粒子ではないこともできる）に接続され、また、第２のサブスイッチ回路は一つ又は複数のＰ−ＭＯＳトランジスタを含み、これらのＰ−ＭＯＳトランジスタのソースは表示駆動回路３０の外付けリードＶＣＣAに互いに接続され、ゲートは第２の給電制御ポートに接続され、ドレインはＬＥＤ表示パネル１０の対応する行のＬＥＤ粒子のＧとＢ原色陽極（図９ａにおいて、単一行のＬＥＤ粒子であるが、単一行のＬＥＤ粒子ではないこともできる）に接続される。
【０１０３】
そして、Ｒ原色定電流通路セットは一つ又は複数の定電流ロジック部品を含むことができ、これらの定電流ロジック部品の入力端子はＬＥＤ表示パネル１０の対応する列のＬＥＤ粒子のＲ原色陰極に接続され、定電流ロジック部品の出力端子は表示駆動回路３０の外付けリードＧＮＤに互いに接続され、定電流ロジック回路の制御端子は第１のＲ表示制御サブポートに接続され、また、Ｇ原色定電流通路セットは一つ又は複数の定電流ロジック部品を含むことができ、これらの定電流ロジック部品の入力端子はＬＥＤ表示パネル１０の対応する列のＬＥＤ粒子のＧ原色陰極に接続され、定電流ロジック部品の出力端子は表示駆動回路３０の外付けリードＧＮＤに互いに接続され、定電流ロジック回路の制御端子は第１のＧ表示制御サブポートに接続され、また、Ｂ原色定電流通路セットは一つ又は複数の定電流ロジック部品を含むことができ、これらの定電流ロジック部品の入力端子はＬＥＤ表示パネル１０の対応する列のＬＥＤ粒子のＢ原色陰極に接続され、定電流ロジック部品の出力端子は表示駆動回路３０の外付けリードＧＮＤに互いに接続され、定電流ロジック回路の制御端子は第１のＢ表示制御サブポートに接続される。
【０１０４】
表示駆動回路３０の制御で、給電制御回路３５１は給電制御ポートを介して第１のサブスイッチ回路３１と第２のサブスイッチ回路３１中の対応する同一行の対応する二つのＰ−ＭＯＳトランジスタを制御してオン状態にし、それぞれ、ＬＥＤ表示パネル１０上の対応する行中のＬＥＤ粒子のＲ原色発光ダイオードとＧ/Ｂ原色発光ダイオード陽極へ給電し、駆動制御回路３５３はそれぞれ、第２のＲ表示制御サブポート/第２のＧ表示制御サブポート/第２のＢ表示制御サブポートを介してＲ表示制御信号/Ｇ表示制御信号/Ｂ表示制御信号を第１の定電流通路セット/第２の定電流通路セット/第３の定電流通路セット中の各定電流ロジック部品に出力て、それぞれ三つの定電流通路セット中の各定電流ロジック部品を制御してオンされた動作状態にして、対応する列のＬＥＤ粒子のＲ原色陰極、Ｇ原色陰極、Ｂ原色陰極に電流通路を提供し、ＬＥＤの順序表示を実現する。
【０１０５】
上記実施形態において、第１のサブスイッチ回路と第２のサブスイッチ回路の給電電圧は異なることができ、ＶＣＣＢ給電電圧は１.６Ｖであることが好ましく、当該給電電圧はリードＶＣＣAの給電電圧より低いことができ、当該１.６Ｖの電圧値は、緑色発光ダイオード、青色発光ダイオードの典型的な動作電圧（３.４〜３.６Ｖ）から赤色発光ダイオードの典型的な動作電圧（１.８〜２Ｖ）を引いて得たもので、これにより、Ｒ/Ｇ/Ｂ原色発光ダイオードの給電電圧を差別化して制御することで、ＬＥＤディスプレイの消費電力を低減させることができる。
【０１０６】
そして、実施例５と実施例６の実施形態に基づいて、以下のような変形が可能である。
ＬＥＤディスプレイ中の電界効果トランジスタはＰ−ＭＯＳトランジスタであることができ、ＬＥＤ表示パネル１０はＭ行Ｎ列個のＬＥＤ粒子を含むことができ、各ＬＥＤ粒子はそれぞれ、赤色ランプ、緑色ランプ、青色ランプを含み、各行の第ｉ個のＬＥＤ粒子中の赤色ランプの陽極は第ｉノードに並列接続され、第１のサブスイッチ回路３１中の対応する一つのＰ−ＭＯＳトランジスタのドレインに接続され、各行の各ノードは並列接続されて、各行の第ｊ個のＬＥＤ粒子中の緑色ランプの陽極と青色ランプの陽極は第ｊノードに並列接続され、それぞれ、第２のサブスイッチ回路３１中の対応する一つのＰ−ＭＯＳトランジスタのドレインに接続され、各行の各ノードは並列接続され、各列の各ＬＥＤ粒子の赤色ランプの陰極はそれぞれ並列接続され、それぞれ、第１の定電流通路セット中の対応する一つの定電流ロジック部品の第２端子に接続され、各列の各ＬＥＤ粒子の緑色ランプの陰極それぞれ並列接続され、それぞれ、第２の定電流通路セット中の対応する一つの定電流ロジック部品の第２端子に接続され、各列の各ＬＥＤ粒子の青色ランプの陰極はそれぞれ並列接続され、それぞれ、第３の定電流通路セット中の対応する一つの定電流ロジック部品の第２端子に接続される。
【０１０７】
更に、表示駆動回路３０の外付けリードＶＣＣＢの給電電圧は外付けリードＶＣＣAの給電電圧より低く、外付けリードＶＣＣＢの給電電圧は１.６Ｖであることが好ましく、当該電圧値は、緑色発光ダイオード、青色発光ダイオードの動作電圧（３.４〜３.６Ｖ）から赤色発光ダイオードの典型的な動作電圧（１.８〜２Ｖ）を引いて得たものであって、Ｒ/Ｇ/Ｂ原色発光ダイオードの給電電圧を差別化して制御することで、ＬＥＤディスプレイの消費電力を低減させることができる。
【０１０８】
実施例５と実施例６の実施形態に基づいて、以下のような２種の変形も可能である。
電界効果トランジスタはＮ−ＭＯＳトランジスタであることができ、ＬＥＤ表示パネル１０はＭ行Ｎ列個のＬＥＤ粒子を含み、各ＬＥＤ粒子はそれぞれ、赤色ランプ、緑色ランプ、青色ランプを含み、各行の第ｉ個のＬＥＤ粒子中の赤色ランプの陰極は第ｉノードに並列接続され、それぞれ、第１のサブスイッチ回路３１中の対応する一つのＮ−ＭＯＳトランジスタのドレインに接続され、各行の各ノードは並列接続され、各行の第ｊ個のＬＥＤ粒子中の緑色ランプの陰極と青色ランプの陰極は第ｊノードに並列接続され、第２のサブスイッチ回路３１中の対応する一つのＮ−ＭＯＳトランジスタのドレインに接続され、各行の各ノードは並列接続されて、各列の各ＬＥＤ粒子の赤色ランプの陽極はそれぞれ並列接続され、それぞれ、第１の定電流通路セット中の対応する一つの定電流ロジック部品の第２端子に接続され、各列の各ＬＥＤ粒子の緑色ランプの陽極はそれぞれ並列接続され、それぞれ、第２の定電流通路セット中の対応する一つの定電流ロジック部品の第２端子に接続され、各列の各ＬＥＤ粒子の青色ランプの陽極はそれぞれ並列接続され、それぞれ、第３の定電流通路セット中の対応する一つの定電流ロジック部品の第２端子に接続される。
【０１０９】
具体的に、当該実施例において、第１のサブスイッチ回路は一つ又は複数のＮ−ＭＯＳトランジスタを含み、これらのＮ−ＭＯＳトランジスタのソースは表示駆動回路３０の外付けリードＧＮＤに互いに接続され、ゲートは第１の給電制御ポートに接続され、ドレインはＬＥＤ表示パネル１０の対応する行のＬＥＤ粒子のＲ原色陽極（図１０ａにおいて、単一行のＬＥＤ粒子であるが、単一行のＬＥＤ粒子ではないこともできる）に接続され、また、第２のサブスイッチ回路は一つ又は複数のＮ−ＭＯＳトランジスタを含み、これらのＮ−ＭＯＳトランジスタのソースは表示駆動回路３０の外付けリードＧＮＤに互いに接続され、ゲートは第２の給電制御ポートに接続され、ドレインはＬＥＤ表示パネル１０の対応する行のＬＥＤ粒子のＧとＢ原色陽極（図１０ａにおいて、単一行のＬＥＤ粒子であるが、単一行のＬＥＤ粒子ではないこともできる）に接続される。
【０１１０】
そして、Ｒ原色定電流通路セットは一つ又は複数の定電流ロジック部品を含むことができ、これらの定電流ロジック部品の入力端子はＬＥＤ表示パネル１０の対応する列のＬＥＤ粒子のＲ原色陰極に接続され、定電流ロジック部品の出力端子は表示駆動回路３０の外付けリードＶＣＣＲに互いに接続され、定電流ロジック回路の制御端子は第１のＲ表示制御サブポートに接続され、また、Ｇ原色定電流通路セットは一つ又は複数の定電流ロジック部品を含むことができ、これらの定電流ロジック部品の入力端子はＬＥＤ表示パネル１０の対応する列のＬＥＤ粒子のＧ原色陰極に接続され、定電流ロジック部品の出力端子は表示駆動回路３０の外付けリードＶＣＣＧに互いに接続され、定電流ロジック回路の制御端子は第１のＧ表示制御サブポートに接続され、また、Ｂ原色定電流通路セットは一つ又は複数の定電流ロジック部品を含むことができ、これらの定電流ロジック部品の入力端子はＬＥＤ表示パネル１０の対応する列のＬＥＤ粒子のＢ原色陰極に接続され、定電流ロジック部品の出力端子は表示駆動回路３０の外付けリードＶＣＣＢに互いに接続され、定電流ロジック回路の制御端子は第１のＢ表示制御サブポートに接続される。
【０１１１】
ここで、外付けリードＶＣＣＲの給電電圧は外付けリードＶＣＣＧ/ＶＣＣＢの給電電圧より低く、当該電圧値は１.６Ｖであることが好ましく、当該値は緑色発光ダイオード、青色発光ダイオードの典型的な動作電圧（３.４〜３.６Ｖ）から赤色発光ダイオードの典型的な動作電圧（１.８〜２Ｖ）を引いて得られるもので、Ｒ/Ｇ/Ｂ原色発光ダイオードの給電電圧を差別化して制御することで、ＬＥＤディスプレイの消費電力を低減させることができる。
【０１１２】
具体的に、各行の第ｉ個のＬＥＤ粒子中の赤色ランプの陰極は第ｉノードに並列接続され、それぞれ、第１のサブスイッチ回路３１中の対応する一つのＮ−ＭＯＳトランジスタのドレインに接続され、各行の各ノードは並列接続され、各行の第ｊ個のＬＥＤ粒子中の緑色ランプの陰極と青色ランプの陰極は第ｊノードに並列接続され、第２のサブスイッチ回路３１中の対応する一つのＮ−ＭＯＳトランジスタのドレインに接続され、各行の各ノードは並列接続されて、単一列のＬＥＤ粒子中のＲ原色発光ダイオードの共通陽極は互いに接続されて表示駆動回路３０の第１の定電流通路セットの定電流ロジック部品の入力端子に接続され、単一列のＬＥＤ粒子中のＧ原色発光ダイオードの共通陽極は互いに接続されて表示駆動回路３０の第２の定電流通路セットの定電流ロジック部品の入力端子に接続され、単一列のＬＥＤ粒子中のＢ原色発光ダイオードの共通陽極は互いに接続されて表示駆動回路３０の第３の定電流通路セットの定電流ロジック部品の入力端子に接続される。
【０１１３】
そして、実施例８は以下の方法で実現されることができる：電界効果トランジスタはＮ−ＭＯＳトランジスタであることができ、ＬＥＤ表示パネル１０はＭ行Ｎ列個のＬＥＤ粒子を含み、各ＬＥＤ粒子はそれぞれ、赤色ランプ、緑色ランプ、青色ランプを含み、ここで、各行の各ＬＥＤ粒子中の赤色ランプの陰極は並列接続され、それぞれ、第１のサブスイッチ回路３１中の対応する一つのＮ−ＭＯＳトランジスタのドレインに接続され、各行の各ＬＥＤ粒子中の緑色ランプの陰極と青色ランプの陰極は並列接続され、それぞれ、第２のサブスイッチ回路３１中の対応する一つのＮ−ＭＯＳトランジスタのドレインに接続され、各列の各ＬＥＤ粒子の赤色ランプの陽極はそれぞれ並列接続され、それぞれ、第１の定電流通路セット中の対応する一つの定電流ロジック部品の第２端子に接続され、各列の各ＬＥＤ粒子の緑色ランプの陽極はそれぞれ並列接続され、それぞれ、第２の定電流通路セット中の対応する一つの定電流ロジック部品の第２端子に接続され、各列の各ＬＥＤ粒子の青色ランプの陽極はそれぞれ並列接続され、それぞれ、第３の定電流通路セット中の対応する一つの定電流ロジック部品の第２端子に接続される。
【０１１４】
具体的に、各行の各ＬＥＤ粒子中の赤色ランプの陰極の内部は互いに接続されてそれぞれ、第１のサブスイッチ回路３１中の対応する一つのＮ−ＭＯＳトランジスタのドレインに接続され、各行の各ＬＥＤ粒子中の緑色と青色ランプの陰極は互いに接続されてそれぞれ、第２のサブスイッチ回路３１中の対応する一つのＮ−ＭＯＳトランジスタのドレインに接続され、単一列のＬＥＤ粒子中のＲ原色発光ダイオードの共通陽極は互いに接続されて表示駆動回路３０の第１の定電流通路セットの定電流ロジック部品の入力端子に接続され、単一列のＬＥＤ粒子中のＧ原色発光ダイオードの共通陽極は互いに接続されて表示駆動回路３０の第２の定電流通路セットの定電流ロジック部品の入力端子に接続され、単一列のＬＥＤ粒子中のＢ原色発光ダイオードの共通陽極は互いに接続されて表示駆動回路３０の第３の定電流通路セットの定電流ロジック部品の入力端子に接続される。
【０１１５】
本発明の上記実施例におけるＬＥＤディスプレイ中のＬＥＤ粒子は赤色ランプ、緑色ランプ、青色ランプを含み、赤色ランプ、緑色ランプ、青色ランプをＬＥＤ粒子に集積することができ、赤色ランプ、緑色ランプ、青色ランプをそれぞれカプセル化してからＬＥＤ粒子に設けることもできる。
上記実施例１〜６において、図６ａ、図７ａ、図８ａに示す電界効果トランジスタはそれぞれ図７ｃに示すＮ−ＭＯＳトランジスタであることができ、図５ａ、図９ａ、図１０ａに示す電界効果トランジスタはそれぞれ図１０ｃに示すＰ−ＭＯＳトランジスタであることができる。
【０１１６】
図１１は、本発明の実施例に係わるＬＥＤ制御システムの構造を示す図である。図１１に示すように、当該ＬＥＤ制御システムは表示駆動回路３０を含み、表示駆動回路３０は、スイッチ回路３１と、駆動回路３３と、制御回路３５と、を含み、スイッチ回路３１と駆動回路３３の中の一つの第１端子は給電機器の電源端子に接続され、他の第１端子は給電機器のアース端子に接続され、スイッチ回路３１と駆動回路３３の中の一つの第２端子はＬＥＤ表示パネル１０の陽極に接続され、他の第２端子はＬＥＤ表示パネル１０の陰極に接続され、スイッチ回路３１はＬＥＤ表示パネル１０への給電を制御し、駆動回路３３はＬＥＤ表示パネル１０の順序表示を制御し、また、制御回路は給電制御回路３５１と駆動制御回路３５３とを含み、給電制御回路３５１は給電制御ポートを介してスイッチ回路３１の第３端子に接続されてスイッチ回路３１のオン又はオフを制御し、駆動制御回路３５３は駆動制御ポートを介して駆動回路３３の第３端子に接続されて駆動回路３３のオン又はオフを制御する。
【０１１７】
本発明のＬＥＤ制御システムによると、当該システム中の表示駆動回路３０がスイッチ回路３１と、駆動回路３３と、制御回路３５を含み、制御回路３５が給電制御回路３５１と駆動制御回路３５３を含み、給電制御回路３５１がスイッチ回路３１のオン又はオフを制御し、駆動制御回路３５３が駆動回路３３のオン又はオフを制御し、その後、スイッチ回路３１のオン又はオフによってＬＥＤ表示パネル１０の給電を制御し、また駆動回路３３のオン又はオフによってＬＥＤ表示パネル１０の表示を制御することによって、ＬＥＤ表示パネル１０の順序表示を実現する。本発明のＬＥＤ制御システムによると、スイッチ回路３１と、駆動回路３３と制御回路３５を表示駆動回路３０に集積して、元のＬＥＤ表示パネル１０の面積が不変である状況下、更に多い表示駆動回路３０を配置することができ、面積が一定であるＬＥＤディスプレイにおいて、ＬＥＤ粒子と表示駆動回路３０の数量の比を低減し、リフレッシュレートを向上させ、また、ＬＥＤ表示パネル１０中のＭ行*Ｎ列のＬＥＤ粒子アレイと表示駆動回路３０の接続関係がさらに明確であって、接続線路が少なく、ＰＣＢ設計難易度を低下させる。既存技術においてＬＥＤディスプレイの制御回路３５が占めるＰＣＢ面積が大きく、リフレッシュレートが低く、消費電力が大きい問題を解決し、ＬＥＤディスプレイの制御回路３５が占めるパネルの面積が少なく、設計が簡単で、リフレッシュレートが高い効果を実現できる。
【０１１８】
上述のように、本発明によると、以下の技術効果を実現できる：本発明のＬＥＤディスプレイ及びＬＥＤ制御システムによると、スイッチ回路３１と、駆動回路３３と制御回路３５を表示駆動回路３０に集積し、元のＬＥＤ表示パネル１０の面積が不変である状況下、更に多い表示駆動回路３０を配置することができ、面積が一定であるＬＥＤディスプレイにおいて、ＬＥＤ粒子と表示駆動回路３０の数量の比を低減し、リフレッシュレートを向上し、また、ＬＥＤ表示パネル１０中のＭ行*Ｎ列のＬＥＤ粒子アレイと表示駆動回路３０の接続関係がさらに明確であって、接続線路が少なく、ＰＣＢ設計難易度を低下させる。既存技術におけるＬＥＤディスプレイの制御回路３５が占めるＰＣＢ面積が大きく、リフレッシュレートが低い問題を解決し、ＬＥＤディスプレイの制御回路３５が占めるパネルの面積が少なく、設計が簡単で、リフレッシュレートが高い。
【０１１９】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１ｂ】
2016504619.tif 000003
【図１ｃ】
2016504619.tif 000004
【図２ａ】
2016504619.tif 000005
【図２ｂ】
2016504619.tif 000006
【図２ｃ】
2016504619.tif 000007
【図３ａ】
2016504619.tif 000008
【図３ｂ】
2016504619.tif 000009
【図３ｃ】
2016504619.tif 000010
【図５ｂ】
2016504619.tif 000011
【図５ｃ】
2016504619.tif 000012
【図６ｂ】
2016504619.tif 000013
【図６ｃ】
2016504619.tif 000014
【図７ｃ】
2016504619.tif 000015
【図７ｄ】
2016504619.tif 000016
【図７ｅ】
2016504619.tif 000017
【図８ｂ】
2016504619.tif 000018
【図８ｃ】
2016504619.tif 000019
【図９ａ】
2016504619.tif 000020
【図９ｂ】
2016504619.tif 000021
【図９ｃ】
2016504619.tif 000022
【図１０ａ】
2016504619.tif 000023
【図１０ｂ】
2016504619.tif 000024
【図１０ｃ】
2016504619.tif 000025
【図１０ｄ】
2016504619.tif 000026
【図１０ｅ】
2016504619.tif 000027
【図１ａ】
2016504619.tif 000028
【図４】
2016504619.tif 000029
【図５ａ】
2016504619.tif 000030
【図６ａ】
2016504619.tif 000031
【図７ａ】
2016504619.tif 000032
【図８ａ】
2016504619.tif 000033
【図１１】
2016504619.tif 000034
【国際調査報告】
2016504619.tif 000035
2016504619.tif 000036
2016504619.tif 000037
2016504619.tif 000038